(57)【特許請求の範囲】
【請求項１】
左右のファスナーテープ(12,22) のテープ側縁部にエレメント列(11,21) が形成された一対の第１及び第２ファスナーストリンガー(10,20) と、前記第１及び第２ファスナーストリンガー(10,20) の前記ファスナーテープ(12,22) における前記エレメント列(11,21) の一端部に固着された一対の第１及び第２開離嵌挿部材(30,130,180,40,110,140,150,190) と、前記第１ファスナーストリンガー(10)の前記エレメント列(11)に沿って摺動可能に取着された一対の第１及び第２スライダー(50,60,80,90,160) とを備え、前記第１及び第２スライダー(50,60,80,90,160) に対して、前記第２開離嵌挿部材(40,110,140,150,190)を挿抜することにより開離嵌挿操作を行うことが可能な逆開きスライドファスナー(1,101,102,103,104) であって、
前記第２開離嵌挿部材(40,110,140,150,190)は、前記第１及び第２スライダー(50,60,80,90,160) のそれぞれに配された上翼板(52,62,82)の側縁部と下翼板(53,63,83)の側縁部間の間隙を介して前記第１及び第２スライダー(50,60,80,90,160) に挿抜可能な挿抜領域を有し、
前記第１開離嵌挿部材(30,130,180)に対する前記第２開離嵌挿部材(40,110,140,150,190)の嵌挿操作時に、前記第１開離嵌挿部材(30,130,180)及び前記第２開離嵌挿部材(40,110,140,150,190)の間の相対的な位置を決める位置決め構造が配され、
前記第２開離嵌挿部材(40,110,140,150,190)は、前記ファスナーテープ(22)に固着された本体部(41)と、前記本体部(41)におけるテープ長さ方向の先端部に配され、前記第１スライダー(50,80,90)に係脱可能なスライダー係脱部(42,112,142)とを有し、
前記位置決め構造は、前記第１スライダー(50,80,90)が前記第１開離嵌挿部材(30,130,180)の摺動端部に保持される保持構造と、前記スライダー係脱部(42,112,142)が前記第１スライダー(50,80,90)に係止される構造とにより構成され、
前記スライダー係脱部(42,112,142)は、前記第１スライダー(50,80,90)に係止された状態にて、前記第２開離嵌挿部材(40,110,140,150,190)を前記第１及び第２スライダー(50,60,80,90,160) に対する挿抜方向に回動可能に形成されてなる、
ことを特徴とする逆開きスライドファスナー。
【請求項２】
前記スライダー係脱部(42,112,142)は、前記第１スライダー(50,80,90)に引っ掛けて係止され、
前記スライダー係脱部(42,112,142)は、前記挿抜方向に、前記第１スライダー(50,80,90)と前記スライダー係脱部(42,112,142)とが当接する当接部分を軸にして回動可能である、
請求項１記載の逆開きスライドファスナー。
【請求項３】
前記第１及び第２スライダー(50,60,80,90,160) は、上下翼板(52,53,62,63,82,83)と、前記上下翼板(52,53,62,63,82,83)間を連結する案内柱(54,64,84)と、前記上翼板(52,62,82)の左右側縁から垂設された上フランジ(55,65,85,95,165)と、前記下翼板(53,63,83)の左右側縁から立設された下フランジ(56,66,86,96,166)とを有し、
前記スライダー係脱部(42,112,142)は、前記第１スライダー(50,80,90)の肩口側端部に係脱可能であり、
前記第１スライダー(50,80,90)における前記肩口側端部は、前記上翼板(52,62,82)の肩口側端縁部、前記下翼板(53,63,83)の肩口側端縁部、前記案内柱(54,64,84)、前記上フランジ(55,65,85,95,165)の肩口側端部、及び前記下フランジ(56,66,86,96,166)の肩口側端部を含有してなる、
請求項１記載の逆開きスライドファスナー。
【請求項４】
前記第２開離嵌挿部材(40,110,140,150)は、前記本体部(41)における前記エレメント列(11,21) 側の基端部にガイド部(45)を有し、
前記ガイド部(45)は、前記第２スライダー(60,80,90,160)が所定の位置にある場合に、前記第２開離嵌挿部材(40,110,140,150)を前記第１及び第２スライダー(50,60,80,90,160) に挿入するときに前記第２スライダー(60,80,90,160)の肩口からエレメント案内路(69,89) 内に進入可能に配されてなる、
請求項１記載の逆開きスライドファスナー。
【請求項５】
前記第２開離嵌挿部材(40,110,140,150)は、前記本体部(41)の前記第１開離嵌挿部材(30,130)に対向する対向側縁からテープ幅方向に突設された係止凸部(43)、又は前記対向側縁からテープ内側に向けて凹設された係止凹部を有し、
前記第１開離嵌挿部材(30,130)は、前記第２開離嵌挿部材(40,110,140,150)に配した前記係止凸部(43)を嵌入させる係止凹部(33)、又は前記第２開離嵌挿部材(40,110,140,150)に配した前記係止凹部に嵌入する係止凸部を有してなる、
請求項１記載の逆開きスライドファスナー。
【請求項６】
前記第２開離嵌挿部材(40,110,140,190)は、前記本体部(41)の第１表面及び第２表面の少なくとも一方に、前記第１スライダー(50,80,90)の前記上下フランジ(55,56,65,66,85,86,95,96)の少なくとも一方の後口側端部に当接して前記第２開離嵌挿部材(40,110,140,190)を所定の位置に保持することが可能な位置保持用隆起部(44b)を有してなる請求項１記載の逆開きスライドファスナー。
【請求項７】
前記第２開離嵌挿部材(40,110,140,150,190)は、前記本体部(41)の第１表面及び第２表面の少なくとも一方に、前記第１スライダー(50,80,90)が前記第２開離嵌挿部材(40,110,140,150,190)上を摺動する際に前記第１スライダー(50,80,90)から前記第２開離嵌挿部材(40,110,140,150,190)が抜出することを防止する抜止用隆起部(44a,154a) を有し、
前記抜止用隆起部(44a,154a) は、前記第２スライダー(60,80,90,160)側の前記挿抜領域内に配されてなる、
請求項１記載の逆開きスライドファスナー。
【請求項８】
前記第１スライダー(50,80,90)における前記第２開離嵌挿部材(40,110,140,190)側に配された上下フランジ(55,56,85,86,95,96) 間の間隔(71,77,78)は、前記抜止用隆起部(44a) の厚さ寸法(75)よりも小さく設定され、
前記第２スライダー(60,80,90)における前記第２開離嵌挿部材(40,110,140,190)側に配された上下フランジ(65,66,85,86,95,96) 間の間隔(72,76,79)は、前記抜止用隆起部(44a) の厚さ寸法(75)よりも大きく設定されてなる、
請求項７記載の逆開きスライドファスナー。
【請求項９】
前記第１スライダー(80,90) の前記第１開離嵌挿部材(30)側に配された上下フランジ(85,86,95,96)間の間隔は、前記第２スライダー(80,90)の前記第２開離嵌挿部材(40)側に配された上下フランジ(85,86,95,96)間の間隔と同じ大きさに設定され、
前記第２スライダー(80,90) の前記第１開離嵌挿部材(30)側に配された上下フランジ(85,86,95,96)間の間隔は、前記第１スライダー(80,90)の前記第２開離嵌挿部材(40)側に配された上下フランジ(85,86,95,96)間の間隔と同じ大きさに設定されてなる、
請求項８記載の逆開きスライドファスナー。
【請求項１０】
前記保持構造は、前記第１スライダー(50,80,90)に配され、前記エレメント列(11)に対して同第１スライダー(50,80,90)の停止位置を保持することが可能な停止爪(58)と、前記第１開離嵌挿部材(30,130,180)に形成され、前記停止爪(58)を収容することが可能な収容凹部(34)とにより構成されてなる請求項１記載の逆開きスライドファスナー。
【発明の詳細な説明】
【技術分野】
【０００１】
本発明は、一方の第１ファスナーストリンガーに設けられた第１開離嵌挿部材と、他方の第２ファスナーストリンガーに設けられた第２開離嵌挿部材と、第１ファスナーストリンガーのエレメント列に沿って摺動可能に取着された第１及び第２スライダーとを有し、第１開離嵌挿部材側の摺動端部に移動させた第１及び第２スライダーに対して第２開離嵌挿部材を挿抜することにより、開離嵌挿操作を行うことが可能なスライドファスナーに関する。
【背景技術】
【０００２】
従来、例えば衣類における左右の前身頃を開閉可能にするために、開離嵌挿具を備えたスライドファスナーが多く用いられている。また、例えばロングコートやスキーウェア等に主に用いられるスライドファスナーとして、衣類の機能性やデザイン性を高めるために、噛合状態にある左右のエレメント列をファスナーチェーンの一端（上端）からだけでなく、他端（下端）からでも分離することが可能なスライドファスナーが知られている。このように噛合状態にあるエレメント列を両端から分離することが可能なスライドファスナーは、逆開きスライドファスナーと呼ばれている。【０００３】
このような逆開き可能なスライドファスナーの一例が、特開２００８−９９９７５号公報（特許文献１）に開示されている。
図２６に示したように、特許文献１に記載されているスライドファスナー２０１は、エレメント列２０３が形成された左右一対の第１及び第２ファスナーストリンガー２１０，２２０と、左側の第１ファスナーストリンガー２１０の前端部に配された第１開離嵌挿部材２３０（特許文献１には、箱棒と記載）と、右側の第２ファスナーストリンガー２２０の前端部に配された第２開離嵌挿部材２４０（特許文献１には、蝶棒と記載）と、エレメント列２０３に沿って摺動可能に配された第１スライダー（上スライダー）２５０ａ及び第２スライダー（下スライダー）２５０ｂとを備えており、第１及び第２ファスナーストリンガー２１０，２２０の前端側で開離嵌挿操作を行うように構成されている（このようなスライドファスナー２０１は、上開きのスライドファスナーと呼ばれることがある）。【０００４】
なお、図２６に示した場合において、前後方向とは、スライドファスナー２０１におけるファスナーテープ２０２の長手方向を指し、第１スライダー２５０ａをエレメント列２０３が噛合するように摺動させる方向を前方、第１スライダー２５０ａを噛合状態のエレメント列２０３が離間するように摺動させる方向を後方とする。【０００５】
左右方向とは、ファスナーテープ２０２のテープ幅方向を指し、スライドファスナー２０１を正面から見たときの左側及び右側をそれぞれ左方及び右方とする。上下方向とは、ファスナーテープ２０２のテープ面に直交するテープ表裏方向を指し、ファスナーテープ２０２に対して第１及び第２スライダー２５０ａ，２５０ｂの引手２５７が配される側（図２６の紙面手前側）を上方、その反対の側（図２６の紙面奥側）を下方とする。【０００６】
第１及び第２ファスナーストリンガー２１０，２２０は、ファスナーテープ２０２と、ファスナーテープ２０２の対向するテープ側縁部に形成されたエレメント列２０３と、エレメント列２０３の後端部に形成された止部２０４とをそれぞれ有している。この場合、エレメント列２０３は、ファスナーテープ２０２にコイル状のファスナーエレメントを縫着することにより形成されている。【０００７】
第１開離嵌挿部材２３０は、左側の第１ファスナーストリンガー２１０に配されたエレメント列２０３の前端部から連続して延設されている。この第１開離嵌挿部材２３０は、ファスナーテープ２０２に固着された本体部２３１と、本体部２３１の前端側に配され、第１スライダー２５０ａの脱落を防止するストッパー部２３２と、本体部２３１の第２開離嵌挿部材２４０に対向する対向側面から突出した係止片部２３３となどを有している。【０００８】
第２開離嵌挿部材２４０は、右側のファスナーストリンガーに配されたエレメント列２０３の前端部から連続して延設されている。この第２開離嵌挿部材２４０は、ファスナーテープ２０２に固着された本体部２４１と、本体部２４１の第１開離嵌挿部材２３０に対向する対向側面に凹設され、第１開離嵌挿部材２３０の係止片部２３３を収容可能な収容部２４２と、本体部２４１の対向側面から突出する当接部２４３と、本体部２４１の前端側に形成された切欠部２４４とを有している。【０００９】
第１及び第２スライダー２５０ａ，２５０ｂは、上下翼板２５１，２５２と、上下翼板２５１，２５２間を連結する案内柱２５３と、上下翼板２５１，２５２の左右側縁に設けられたフランジ２５４と、上翼板２５１に揺動可能に配され、エレメント列２０３に対するスライダーの停止位置を保持する停止爪２５５と、上翼板２５１の上面から起立した引手取付柱２５６と、引手取付柱２５６に保持された引手２５７とを有している。また、第１及び第２ファスナーストリンガー２１０，２２０における上下翼板２５１，２５２間には、エレメント案内路２５８が形成されている。【００１０】
また、第１及び第２スライダー２５０ａ，２５０ｂは、互いの後口同士が相対する向きで、第１ファスナーストリンガー２１０のエレメント列２０３に取着され、更に、第１スライダー２５０ａは、第２スライダー２５０ｂよりも第１開離嵌挿部材２３０側に配されている。【００１１】
次に、上述のような特許文献１のスライドファスナー２０１において、例えば第１及び第２ファスナーストリンガー２１０，２２０が開いている（分離している）状態から、左右のエレメント列２０３を噛合させて第１及び第２ファスナーストリンガー２１０，２２０を閉鎖する場合について説明する。【００１２】
先ず、第１ファスナーストリンガー２１０のエレメント列２０３に取着されている第１及び第２スライダー２５０ａ，２５０ｂを摺動させて、第１開離嵌挿部材２３０側の摺動端部まで移動させる。続いて、摺動端部まで移動した第１及び第２スライダー２５０ａ，２５０ｂに対して、第２開離嵌挿部材２４０を挿し込む。【００１３】
この挿し込み操作では、第２開離嵌挿部材２４０が、図２７に示したように、第２スライダー２５０ｂの肩口から、第２スライダー２５０ｂのエレメント案内路２５８内、及び第１スライダー２５０ａのエレメント案内路２５８内に挿入される。そして、第１開離嵌挿部材２３０の係止片部２３３が第２開離嵌挿部材２４０の収容部２４２に収容され、第２開離嵌挿部材２４０が第２スライダー２５０ｂのエレメント案内路２５８内の奥まで十分に挿し込まれることにより、図２８に示したように、第２開離嵌挿部材２４０の挿し込み操作が完了する。【００１４】
その後、下側の第２スライダー２５０ｂをエレメント列２０３に沿って後方に向けて摺動させることにより、図２９に示したように、左右のエレメント列２０３を噛合させて、スライドファスナー２０１を閉鎖することができる。【００１５】
特許文献１によれば、スライドファスナー２０１を閉鎖した状態のときに、上側の第１スライダー２５０ａの停止爪２５５が第２開離嵌挿部材２４０の当接部２４３に当接可能となるため、人為的な操作をすることなく第１スライダー２５０ａが後方へ移動することを防止できるとしている。【００１６】
なお、上述のように閉鎖状態にあるスライドファスナー２０１を分離するためには、下側の第２スライダー２５０ｂを上側の第１スライダー２５０ａに当接する摺動端部まで移動させ、その後、第１及び第２スライダー２５０ａ，２５０ｂのエレメント案内路２５８に挿入されている第２開離嵌挿部材２４０を第２スライダー２５０ｂの肩口を介して引き抜く。これにより、第１及び第２ファスナーストリンガー２１０，２２０が分離される。
【先行技術文献】
【特許文献】
【００１７】
【特許文献１】特開２００８−９９９７５号公報
【発明の概要】
【発明が解決しようとする課題】
【００１８】
特許文献１に記載されているような従来の逆開きスライドファスナー２０１では、左右の第１及び第２ファスナーストリンガー２１０，２２０を分離状態から閉鎖させる場合、上述のように、第２開離嵌挿部材２４０を第２スライダー２５０ｂの肩口から挿入し、第１スライダー２５０ａのエレメント案内路２５８内の奥まで挿し込む第２開離嵌挿部材２４０の挿入操作が行われる。【００１９】
しかし、同逆開きスライドファスナー２０１では、第２開離嵌挿部材２４０を第２スライダー２５０ｂの肩口を介して第２スライダー２５０ｂ及び第１スライダー２５０ａのエレメント案内路２５８内に挿入するときに、第２開離嵌挿部材２４０の先端部の位置が第２スライダー２５０ｂ及び第１スライダー２５０ａに隠れて見えなくなる。【００２０】
その結果、第２開離嵌挿部材２４０の挿し込み状態を手探りで把握しなければならないため、第２開離嵌挿部材２４０が所定の位置まで挿し込まれたかどうか判断することが難しい。このため、第２開離嵌挿部材２４０を所定の位置まで十分に挿し込まないで、第２スライダー２５０ｂを摺動操作することが多くなるという問題があった。【００２１】
そして、このように第１及び第２スライダー２５０ａ，２５０ｂに対する第２開離嵌挿部材２４０の挿し込みが不十分な状態のままで、エレメント列２０３の噛合方向に第２スライダー２５０ｂを摺動させようとしても、第２スライダー２５０ｂが第２開離嵌挿部材２４０などに引っ掛かって摺動させることができない。【００２２】
このため、第２開離嵌挿部材２４０を第１及び第２スライダー２５０ａ，２５０ｂから引き抜いて、挿し込み直さなければならず、逆開きスライドファスナーの操作性を低下させる原因の一つとなっていた。更に、上述のように第２スライダー２５０ｂが引っ掛かって摺動させることができない場合、使用者によっては第２スライダー２５０ｂを強引に引っ張ってしまい、スライドファスナー２０１を破損させることも考えられる。従って、従来の逆開きスライドファスナーにおいては、左右のファスナーストリンガーを閉鎖又は分離するときの開離嵌挿操作を改善することが望まれていた。【００２３】
本発明は上記従来の課題に鑑みてなされたものであって、その具体的な目的は、一対のファスナーストリンガーを閉鎖又は分離するときに、第１及び第２スライダーに対する第２開離嵌挿部材の挿入又は抜出を確実に且つ安定して行って、開離嵌挿操作を円滑に行うことが可能な逆開きスライドファスナーを提供することにある。
【課題を解決するための手段】
【００２４】
上記目的を達成するために、本発明により提供される逆開きスライドファスナーは、基本的な構成として、左右のファスナーテープのテープ側縁部にエレメント列が形成された一対の第１及び第２ファスナーストリンガーと、前記第１及び第２ファスナーストリンガーの前記ファスナーテープにおける前記エレメント列の一端部に固着された一対の第１及び第２開離嵌挿部材と、前記第１ファスナーストリンガーの前記エレメント列に沿って摺動可能に取着された一対の第１及び第２スライダーとを備え、前記第１及び第２スライダーに対して、前記第２開離嵌挿部材を挿抜することにより開離嵌挿操作を行うことが可能な逆開きスライドファスナーであって、前記第２開離嵌挿部材は、前記第１及び第２スライダーのそれぞれに配された上翼板の側縁部と下翼板の側縁部間の間隙を介して前記第１及び第２スライダーに挿抜可能な挿抜領域を有し、前記第１開離嵌挿部材に対する前記第２開離嵌挿部材の嵌挿操作時に、前記第１開離嵌挿部材及び前記第２開離嵌挿部材の間の相対的な位置を決める位置決め構造が配され、前記第２開離嵌挿部材は、前記ファスナーテープに固着された本体部と、前記本体部におけるテープ長さ方向の先端部に配され、前記第１スライダーに係脱可能なスライダー係脱部とを有し、前記位置決め構造は、前記第１スライダーが前記第１開離嵌挿部材の摺動端部に保持される保持構造と、前記スライダー係脱部が前記第１スライダーに係止される構造とにより構成され、前記スライダー係脱部は、前記第１スライダーに係止された状態にて、前記第２開離嵌挿部材を前記第１及び第２スライダーに対する挿抜方向に回動可能に形成されてなることを最も主要な特徴とするものである。
【００２５】
本発明に係るスライドファスナーにおいて、前記スライダー係脱部は、前記第１スライダーに引っ掛けて係止され、前記スライダー係脱部は、前記挿抜方向に、前記第１スライ
ダーと前記スライダー係脱部とが当接する当接部分を軸にして回動可能であることが好ましい。
【００２７】
また、前記第１及び第２スライダーは、上下翼板と、前記上下翼板間を連結する案内柱と、前記上翼板の左右側縁から垂設された上フランジと、前記下翼板の左右側縁から立設された下フランジとを有し、前記スライダー係脱部は、前記第１スライダーの肩口側端部に係脱可能であり、前記第１スライダーにおける前記肩口側端部は、前記上翼板の肩口側端縁部、前記下翼板の肩口側端縁部、前記案内柱、前記上フランジの肩口側端部、及び前記下フランジの肩口側端部を含有していることが好ましい。
【００２８】
更に、前記第２開離嵌挿部材は、前記本体部における前記エレメント列側の基端部にガイド部を有し、前記ガイド部は、前記第２スライダーが所定の位置にある場合に、前記第２開離嵌挿部材を前記第１及び第２スライダーに挿入するときに前記第２スライダーの肩口からエレメント案内路内に進入可能に配されていることが好ましい。【００２９】
更にまた、前記第２開離嵌挿部材は、前記本体部の前記第１開離嵌挿部材に対向する対向側縁からテープ幅方向に突設された係止凸部、又は前記対向側縁からテープ内側に向けて凹設された係止凹部を有し、前記第１開離嵌挿部材は、前記第２開離嵌挿部材に配した前記係止凸部を嵌入させる係止凹部、又は前記第２開離嵌挿部材に配した前記係止凹部に嵌入する係止凸部を有していることが好ましい。【００３０】
また、前記第２開離嵌挿部材は、前記本体部の第１表面及び第２表面の少なくとも一方に、前記第１スライダーの前記上下フランジの少なくとも一方の後口側端部に当接して前記第２開離嵌挿部材を所定の位置に保持することが可能な位置保持用隆起部を有していることが好ましい。【００３１】
更に、前記第２開離嵌挿部材は、前記本体部の第１表面及び第２表面の少なくとも一方に、前記第１スライダーが前記第２開離嵌挿部材上を摺動する際に前記第１スライダーから前記第２開離嵌挿部材が抜出することを防止する抜止用隆起部を有し、前記抜止用隆起部は、前記第２スライダー側の前記挿抜領域内に配されていることが好ましい。【００３２】
この場合、前記第１スライダーにおける前記第２開離嵌挿部材側に配された上下フランジ間の間隔は、前記抜止用隆起部の厚さ寸法よりも小さく設定され、前記第２スライダーにおける前記第２開離嵌挿部材側に配された上下フランジ間の間隔は、前記抜止用隆起部の厚さ寸法よりも大きく設定されていることが好ましい。【００３３】
また、前記第１スライダーの前記第１開離嵌挿部材側に配された上下フランジ間の間隔は、前記第２スライダーの前記第２開離嵌挿部材側に配された上下フランジ間の間隔と同じ大きさに設定され、前記第２スライダーの前記第１開離嵌挿部材側に配された上下フランジ間の間隔は、前記第１スライダーの前記第２開離嵌挿部材側に配された上下フランジ間の間隔と同じ大きさに設定されていることが特に好ましい。【００３４】
また、本発明の逆開きスライドファスナーにおいて、前記保持構造は、前記第１スライダーに配され、前記エレメント列に対して同第１スライダーの停止位置を保持することが可能な停止爪と、前記第１開離嵌挿部材に形成され、前記停止爪を収容することが可能な収容凹部とにより構成されていることが好ましい。
【発明の効果】
【００３５】
本発明の逆開きスライドファスナーは、第２ファスナーストリンガーに配した第２開離嵌挿部材が、第１及び第２スライダーのそれぞれに配された上翼板の側縁部と下翼板の側縁部の間隙（例えば、第１及び第２スライダーのそれぞれに配された上下フランジ間の間隙）を介して第１及び第２スライダーに挿抜可能な挿抜領域を有している。また、同逆開きスライドファスナーには、第１及び第２スライダー内に第２開離嵌挿部材を挿入して、第１開離嵌挿部材に対する第２開離嵌挿部材の嵌挿操作を行うときに、第１開離嵌挿部材及び第２開離嵌挿部材の間の相対的な位置を決める位置決め構造が配されている。【００３６】
このため、第１及び第２スライダーを第１開離嵌挿部材側の摺動端部に移動させた後、その第１及び第２スライダーに対して第２開離嵌挿部材を挿抜する際に、第２開離嵌挿部材を、従来のように第２スライダーの肩口を介して挿抜せずに、第１及び第２スライダーにおける上下翼板の側縁部の間隙を介して挿抜することが可能となる。【００３７】
このように第２開離嵌挿部材を第１及び第２スライダーの側縁部の間隙を介して挿抜することにより、例えば第２開離嵌挿部材を第２スライダーの肩口から挿抜する場合に比べて、第２開離嵌挿部材の挿入距離及び抜出距離を短くして、第２開離嵌挿部材を所定の位置まで容易に挿し込むことができる。更に、本発明では、位置決め構造が配されていることにより、第１及び第２スライダー内に第２開離嵌挿部材を挿入することにより嵌挿操作を行うときに、第２開離嵌挿部材を第１開離嵌挿部材に対して所定の位置に容易に位置決めすることができる。【００３８】
このため、左右の第１及び第２ファスナーストリンガーが分離しているスライドファスナーを閉鎖する際に、第１及び第２スライダーに対する第２開離嵌挿部材の挿し込みが不十分になる可能性を小さくできる。従って、第２開離嵌挿部材を挿し込み直すことや、第２スライダーを強引に引っ張ってスライドファスナーを破損させることなどの不具合の発生を低減することができ、逆開きスライドファスナーにおける開離嵌挿操作の操作性を向上させることができる。【００３９】
本発明の逆開きスライドファスナーにおいて、第２開離嵌挿部材は、ファスナーテープに固着された本体部と、本体部におけるテープ長さ方向の先端部に配され、第１スライダーに係脱可能なスライダー係脱部とを有し、位置決め構造は、第１スライダーを摺動端部に保持する保持構造と、スライダー係脱部とにより構成されている。【００４０】
これにより、第２開離嵌挿部材を第１及び第２スライダーに挿入する際に、第２開離嵌挿部材のスライダー係脱部を、摺動端部に保持された第１スライダーに、特に同第１スライダーの肩口側端部に係止する（引っ掛ける）ことにより、第２開離嵌挿部材の挿入操作を行うとともに第１スライダーに対して第２開離嵌挿部材を位置決めすることができる。このため、第２開離嵌挿部材をより確実に所定の位置に挿し込むことができる。【００４１】
この場合、スライダー係脱部は、第１スライダーに係止された状態にて、第２開離嵌挿部材を第１及び第２スライダーに対する挿抜方向へ回動可能に形成されていることにより、第２開離嵌挿部材の挿入操作をより円滑に行うことができる。【００４２】
本発明において、第１及び第２スライダーは、上下翼板と、上下翼板間を連結する案内柱と、上翼板の左右側縁から垂設された上フランジと、下翼板の左右側縁から立設された下フランジとを有している。また、第１スライダーにおける肩口側端部は、上翼板の肩口側端縁部、下翼板の肩口側端縁部、案内柱、上フランジの肩口側端部、及び下フランジの肩口側端部を含有している。これにより、第２開離嵌挿部材を第１及び第２スライダーに挿入する際に、第２開離嵌挿部材のスライダー係脱部を第１スライダーの肩口側端部に確実に係止でき、第２開離嵌挿部材の挿入操作を円滑に行うことができる。【００４３】
また、第２開離嵌挿部材は、本体部におけるエレメント列側の基端部にガイド部を有し、ガイド部は、第２スライダーが所定の位置にある場合に、第２開離嵌挿部材を第１及び第２スライダーに挿入するときに第２スライダーの肩口からエレメント案内路内に進入可能に配されている。【００４４】
これにより、第２開離嵌挿部材を第１及び第２スライダーに挿入する際に、第１及び第２スライダーが第１開離嵌挿部材側の摺動端部まで移動していることを確認できる。また、ガイド部が第２スライダーのエレメント案内路内に収容されたときに、第２開離嵌挿部材が第２スライダーの摺動を可能とする所定の位置まで回動したことを使用者に確認させることができる。【００４５】
更に、第２開離嵌挿部材は、本体部の第１開離嵌挿部材に対向する対向側縁からテープ幅方向に突設された係止凸部、又は対向側縁からテープ内側に向けて凹設された係止凹部を有している。また、第１開離嵌挿部材は、第２開離嵌挿部材に配した係止凸部を嵌入させる係止凹部、又は第２開離嵌挿部材に配した係止凹部に嵌入する係止凸部を有している。【００４６】
これにより、第２開離嵌挿部材の挿入後に第２スライダー又は第１スライダーを摺動させる際に、第１開離嵌挿部材に対する第２開離嵌挿部材の相対的な位置を安定させて、第２開離嵌挿部材に位置ずれが生じることを防止できる。このため、第２スライダー又は第１スライダーの摺動を円滑に行うことができ、また、左右のエレメント列の噛み合わせ位置がずれることを防止できる。【００４７】
更にまた、第２開離嵌挿部材は、本体部の第１表面及び第２表面の少なくとも一方に、第１スライダーの上下フランジの少なくとも一方の後口側端部に当接して第２開離嵌挿部材を所定の位置に保持することが可能な位置保持用隆起部を有している。【００４８】
これにより、第２開離嵌挿部材を第１及び第２スライダーに挿入する際に、位置保持用隆起部が第１スライダーにおける上下フランジの後口側端部に当接したときに、第１スライダーの位置合わせを行うことができるとともに、第１スライダーに対する第２開離嵌挿部材の相対的な位置を安定させて、第２開離嵌挿部材に位置ずれが生じることを防止できる。【００４９】
また、第２開離嵌挿部材は、本体部の第１表面及び第２表面の少なくとも一方に抜止用隆起部を有し、抜止用隆起部は、第２スライダー側の挿抜領域内に配されている。この場合、第１スライダーにおける第２開離嵌挿部材側に配された上下フランジ間の間隔は、抜止用隆起部の厚さ寸法よりも小さく設定され、第２スライダーにおける第２開離嵌挿部材側に配された上下フランジ間の間隔は、抜止用隆起部の厚さ寸法よりも大きく設定されている。【００５０】
これにより、第１スライダーがスライダー係脱部から離れて第２開離嵌挿部材上を摺動する際に、第１スライダーから第２開離嵌挿部材が抜出することを防止でき、第１スライダーによる逆開きスライドファスナーの開閉操作を安定して行うことができる。【００５１】
更に、第１スライダーの第１開離嵌挿部材側に配された上下フランジ間の間隔は、第２スライダーの第２開離嵌挿部材側に配された上下フランジ間の間隔と同じ大きさに設定され、第２スライダーの第１開離嵌挿部材側に配された上下フランジ間の間隔は、第１スライダーの第２開離嵌挿部材側に配された上下フランジ間の間隔と同じ大きさに設定されている。これにより、第１スライダーと第２スライダーとに同じ形状を有するスライダーを使用することができる。このため、製造コストの削減を図ることができ、また、スライドファスナーの組み立て時に、作業者が第１スライダーと第２スライダーを間違えて取り付けることを防止できる。【００５２】
また、本発明の逆開きスライドファスナーにおいて、前記保持構造は、第１スライダーに配され、エレメント列に対して同第１スライダーの停止位置を保持することが可能な停止爪と、第１開離嵌挿部材に形成され、停止爪を収容することが可能な収容凹部とにより構成されている。【００５３】
これにより、逆開きスライドファスナーの開離嵌挿操作を行う際に、第１スライダーを第１開離嵌挿部材側の摺動端部の位置に確実に保持できるため、第１スライダーに係止させる第２開離嵌挿部材を所定の位置に安定して位置決めできる。従って、第２開離嵌挿部材の挿抜をより安定して行うことができ、開離嵌挿操作を円滑に行うことができる。
【図面の簡単な説明】
【００５４】
【図１】図１は、本発明の実施例１に係る逆開きスライドファスナーを示す正面図である。
【図２】図２は、同逆開きスライドファスナーにおける第１及び第２開離嵌挿部材を拡大して示す要部拡大図である。
【図３】図３は、第１開離嵌挿部材の側面図である。
【図４】図４は、第２開離嵌挿部材の側面図である。
【図５】図５は、第１及び第２スライダーの側面図である。
【図６】図６は、第２開離嵌挿部材のスライダー係脱部を第１スライダーの肩口側端部に係止する操作を説明する説明図である。
【図７】図７は、第２開離嵌挿部材を第１及び第２スライダーに挿し込んだ状態を示す模式図である。
【図８】図８は、図７における屈曲したＶＩＩ−ＶＩＩ線の断面図である。
【図９】図９は、第２スライダーを摺動させて左右のエレメント列を噛合した状態を示す模式図である。
【図１０】図１０は、第２スライダーを摺動させる際の状態を示す模式図である。
【図１１】図１１は、図１０における屈曲したＸＩ−ＸＩ線の断面図である。
【図１２】図１２は、実施例１の変形例に係る第１及び第２スライダーを示す正面図である。
【図１３】図１３は、同変形例に係る第１及び第２スライダーを後口側から見たときの模式図である。
【図１４】図１４は、第２開離嵌挿部材が第１及び第２スライダーの右側から挿入される逆開きスライドファスナーに用いられる第１及び第２スライダーを示す模式図である。
【図１５】図１５は、本発明の実施例２に係る逆開きスライドファスナーの要部を示す正面図である。
【図１６】図１６は、本発明の実施例３に係る逆開きスライドファスナーの要部を示す正面図である。
【図１７】図１７は、本発明の実施例４に係る逆開きスライドファスナーの要部を示す斜視図である。
【図１８】図１８は、同逆開きスライドファスナーの第２開離嵌挿部材を示す側面図である。
【図１９】図１９は、同逆開きスライドファスナーに用いられる第２スライダーを後口側から見たときの模式図である。
【図２０】図２０は、同逆開きスライドファスナーにおいて、第２開離嵌挿部材の抜止用隆起部と第２スライダーにおける上下フランジ間の間隙との関係を説明する説明図である。
【図２１】図２１は、本発明の実施例５に係る逆開きスライドファスナーの要部を示す正面図である。
【図２２】図２２は、同逆開きスライドファスナーにおける第１開離嵌挿部材の側面図である。
【図２３】図２３は、同逆開きスライドファスナーにおいて、左右のエレメント列を噛合した状態を示す正面図である。
【図２４】図２４は、変形例に係る第１及び第２スライダーを後口側から見たときの模式図である。
【図２５】図２５は、別の変形例に係る第１及び第２スライダーを後口側から見たときの模式図である。
【図２６】図２６は、従来の逆開きスライドファスナーを示す正面図である。
【図２７】図２７は、同逆開きスライドファスナーにおいて、第２開離嵌挿部材を第１及び第２スライダーに挿入する操作を説明する模式図である。
【図２８】図２８は、同逆開きスライドファスナーにおいて、第２開離嵌挿部材が第１及び第２スライダーに挿し込まれた状態を示す模式図である。
【図２９】図２９は、同逆開きスライドファスナーを閉鎖させた状態を示す模式図である。
【発明を実施するための形態】
【００５５】
以下、本発明の好適な実施の形態について、実施例を挙げて図面を参照しながら詳細に説明する。なお、本発明は、以下で説明する各実施例に何ら限定されるものではなく、本発明と実質的に同一な構成を有し、かつ、同様な作用効果を奏しさえすれば、多様な変更が可能である。
【００５６】
例えば、以下の実施例では、右側のファスナーストリンガーの後端側に第１開離嵌挿部材が配され、左側のファスナーストリンガーの後端側に第２開離嵌挿部材が配されている場合について説明する。しかし、本発明は、これに限定されず、例えば、右側のファスナーストリンガーに第２開離嵌挿部材が配され、左側のファスナーストリンガーに第１開離嵌挿部材が配されている場合や、ファスナーストリンガーの前端側に第１及び第２開離嵌挿部材が配されている場合にも、同様に適用することができる。
【００５７】
また、以下の実施例において、ファスナーテープのテープ側縁部に合成樹脂製の単独ファスナーエレメントが射出成形により取着されることによりエレメント列が形成されている。しかし、本発明では、ファスナーテープのテープ側縁部に、コイル状又はジグザグ状のファスナーエレメントを縫着することによりエレメント列が形成されていても良く、或いは、金属製のファスナーエレメントを加締め加工して取着することによりエレメント列が形成されていても良い。
【実施例１】
【００５８】
図１は、本実施例１に係る逆開きスライドファスナーを示す正面図であり、図２は、同逆開きスライドファスナーにおける第１及び第２開離嵌挿部材を拡大して示す要部拡大図である。また、図３及び図４は、第１及び第２開離嵌挿部材のそれぞれの側面図であり、図５は、第１及び第２スライダーの側面図である。【００５９】
なお、以下の説明において、前後方向とは、スライドファスナーにおけるファスナーテープの長手方向を指し、第２スライダーをエレメント列が噛合するように摺動させる方向を前方、噛合状態のエレメント列が離間するように第２スライダーを摺動させる方向を後方とする。【００６０】
また、左右方向とは、ファスナーテープのテープ幅方向を指し、スライドファスナーを正面側から見たときの左側及び右側をそれぞれ左方及び右方とする。上下方向とは、ファスナーテープのテープ面に直交するテープ表裏方向を指し、ファスナーテープに対してスライダーの引手が配される側を上方、その反対の側を下方とする。【００６１】
本実施例１における逆開きスライドファスナー１は、エレメント列１１，２１が形成された一対の第１及び第２ファスナーストリンガー１０，２０と、右側の第１ファスナーストリンガー１０におけるエレメント列１１の後端部から連続して配された第１開離嵌挿部材３０（箱棒と呼ばれることもある）と、左側の第２ファスナーストリンガー２０におけるエレメント列２１の後端部から連続して配された第２開離嵌挿部材４０（蝶棒と呼ばれることもある）と、第１ファスナーストリンガー１０のエレメント列１１に沿って摺動可能に取着された一対の第１及び第２スライダー５０，６０とを有している。【００６２】
ここで、第１スライダー５０は、第１開離嵌挿部材３０側に配される逆開き用のスライダー（所謂、下スライダー）として使用され、第２スライダー６０は、後述する止具１３側に配されるスライダー（所謂、上スライダー）として使用される。【００６３】
第１及び第２ファスナーストリンガー１０，２０は、それぞれ、ファスナーテープ１２，２２と、同ファスナーテープ１２，２２のテープ側縁部に形成されたエレメント列１１，２１と、同エレメント列１１，２１の前端に固着され、第２スライダー６０がエレメント列１１，２１から脱落することを防ぐ止具１３，２３とを有している。この場合、左右の各ファスナーテープ１２，２２は、対向するテープ端縁に芯紐部１４，２４を有している。【００６４】
第１及び第２ファスナーストリンガー１０，２０では、ファスナーテープ１２，２２の芯紐部１４，２４を含むテープ側縁部に沿って、複数の合成樹脂製のファスナーエレメント１５，２５が一定の間隔をおいて射出成形により取着されることにより、エレメント列１１，２１が形成されている。また、ファスナーテープ１２，２２の後端部におけるテープ表裏面には、樹脂製フィルムを貼着することにより補強部１６，２６が形成されている。【００６５】
本実施例１におけるファスナーエレメント１５，２５は、ポリアセタール等の合成樹脂材料を所定の形状に射出成形することによって、ファスナーテープ１２，２２のエレメント取付部に取り付けられている。本発明において、ファスナーエレメント１５，２５の形状は限定されないが、例えば、各ファスナーエレメントは、ファスナーテープに固着される胴部と、胴部からテープ外方に向けて延出し、前後方向に括れた形状を有する首部と、首部の先端に設けられた噛合頭部と、首部から前後方向に突出した肩部とを有している。【００６６】
右側の第１ファスナーストリンガー１０に配された第１開離嵌挿部材３０は、エレメント列１１の後端部から連続してファスナーテープ１２のテープ表裏両面に跨って固着されている。この第１開離嵌挿部材３０は、ポリアセタール等の合成樹脂材料を射出成形することにより形成されている。【００６７】
また、第１開離嵌挿部材３０は、ファスナーテープ１２に固着された本体部３１と、本体部３１の後端部（先端部）に配されたスライダー止部３２と、本体部３１の上面側に内側側面を開口させて配され、第２開離嵌挿部材４０の後述する係止凸部４３を嵌入可能な係止凹部３３と、本体部３１の上面側に形成され、第１スライダー５０の後述する停止爪５８の一部を収容することが可能な収容凹部３４と、本体部３１の第２開離嵌挿部材４０に対向する対向側面から突出した補助係止部３５とを有している。【００６８】
第１開離嵌挿部材３０におけるスライダー止部３２は、第１スライダー５０の後述する上下翼板５２，５３に当接可能なように、本体部３１よりも上下方向の寸法（厚さ寸法）が大きく形成されている。このスライダー止部３２は、第１スライダー５０を当接することにより第１スライダー５０の摺動を停止させる後方側の摺動端を構成している。【００６９】
係止凹部３３は、第２開離嵌挿部材４０に対向する対向側面からテープ内方側に向けて凹設されている。この場合、係止凹部３３に形成される後方側の壁面部３３ａは、テープ長さ方向に対して直交して配されており、更に、第２開離嵌挿部材４０の後述する係止凸部４３を安定して支持できるように、本体部３１の前端側の対向側面よりも第２開離嵌挿部材４０側に突出している。【００７０】
また、第１開離嵌挿部材３０における収容凹部３４は、係止凹部３３よりも後方側の位置に、係止凹部３３よりも浅く形成されている。この収容凹部３４は、第１スライダー５０の停止爪５８を収容可能であり、且つ、収容した停止爪５８を収容凹部３４に形成される前方側の壁面部３４ａに当接させることにより、第１スライダー５０が前方へ摺動することを防いで、第１スライダー５０を所定の位置に保持することができる。【００７１】
更に、第１開離嵌挿部材３０における補助係止部３５は、本体部３１の前端部（エレメント列１１側の基端部）に配され、同本体部３１の対向側面における下面側領域からテープ外方（左方）に向けて突設されている。この補助係止部３５は、正面側から見たときに略三角形状を呈するように形成されており、また、補助係止部３５における上下方向の厚さ寸法は、本体部３１の厚さ寸法の略半分に設定されている。【００７２】
左側の第２ファスナーストリンガー２０に配された第２開離嵌挿部材４０は、エレメント列２１の後端部から連続してファスナーテープ２２のテープ表裏両面に跨って固着されている。この第２開離嵌挿部材４０も、第１開離嵌挿部材３０と同様に、ポリアセタール等の合成樹脂材料を射出成形することにより形成されている。【００７３】
また、第２開離嵌挿部材４０は、ファスナーテープ２２に固着された本体部４１と、本体部４１の後端部（先端部）に配されたスライダー係脱部４２と、本体部４１の第１開離嵌挿部材３０に対向する対向側面から突出した係止凸部４３と、本体部４１の上面及び下面に配された隆起部４４と、本体部４１の前端部（エレメント列１１，２１側の基端部）に配されたガイド部４５と、本体部４１の下面側に形成され、第１開離嵌挿部材３０の補助係止部３５を挿入することが可能な挿入凹部４６と、本体部４１におけるテープ内方側の側縁に沿って配されたリブ部４７とを有している。【００７４】
第２開離嵌挿部材４０におけるスライダー係脱部４２は、本体部４１よりも厚く形成され、第１スライダー５０の後述する上下フランジ５５，５６の肩口側端部に係止可能な第１係脱部４２ａと、第１係脱部４２ａよりも厚く形成され、第１スライダー５０の後述する上下翼板５２，５３の肩口側端縁部に係止可能な第２係脱部４２ｂとを有している。【００７５】
ここで、第１係脱部４２ａは、上下フランジ５５，５６間の間隙よりも厚く、第１スライダー５０の肩口側における上翼板５２と下翼板５３との間の間隙よりも薄く形成されている。第２係脱部４２ｂは、第１スライダー５０のエレメント案内路５９を形成する上翼板５２と下翼板５３との間の間隙よりも厚く形成されている。更にこの場合、第１係脱部４２ａには、第１スライダー５０の上下フランジ５５，５６を挿入可能な挿入溝４２ｃが形成されているので、第１スライダー５０に対して、第２開離嵌挿部材４０がスライダー係脱部４２によってしっかりと支持される。【００７６】
また、スライダー係脱部４２を軸として、第２開離嵌挿部材４０が第１スライダー５０に係止された状態で回動可能となるように、スライダー係脱部４２の挿入溝４２ｃの溝幅が前方に向けて漸次広くなるように、また、第２係脱部４２ｂの幅寸法が前方に向けて漸減するように形成されている。【００７７】
第２開離嵌挿部材４０における係止凸部４３は、第１開離嵌挿部材３０に形成した係止凹部３３に挿入されて係止可能なように、本体部４１の対向側面における上面側領域からテープ外方（右方）に向けて突設されている。この係止凸部４３は、正面側から見たときに略三角形状を呈するように形成されており、その下端縁はテープ長さ方向に対して直交している。なお、本体部４１における係止凸部４３よりも後方側には、第１開離嵌挿部材３０における係止凹部３３の後方側壁面部３３ａや収容凹部３４の前方側壁面部３４ａと干渉しないように、テープ内方（左方）側に小さく切り欠かれている。【００７８】
なお、本実施例１では、第１開離嵌挿部材３０に係止凹部３３が形成され、その係止凹部３３に挿入可能な係止凸部４３が第２開離嵌挿部材４０に形成されているが、本発明においては、第１開離嵌挿部材に係止凸部を突設し、その係止凸部を挿入可能な係止凹部を第２開離嵌挿部材に形成することも可能である。【００７９】
第２開離嵌挿部材４０における隆起部４４は、本体部４１の上面及び下面から隆起している。この場合、隆起部４４における本体部４１からの高さ寸法は、ガイド部４５における本体部４１からの高さ寸法よりも小さく設定されている。この隆起部４４は、ガイド部４５から延びるように配された抜止用隆起部４４ａと、抜止用隆起部４４ａの後端から連続的に配された位置保持用隆起部４４ｂとを有している。【００８０】
抜止用隆起部４４ａにおける第１開離嵌挿部材３０に対向する対向側面（右側側面）は、本体部４１の対向側面と同一面上に配されている。また、抜止用隆起部４４ａにおける左右方向の幅寸法は、後方に向けて漸減している。この抜止用隆起部４４ａは、後述するように、第２開離嵌挿部材４０を第１及び第２スライダー５０，６０に挿し込んだ後、第１スライダー５０を前方に摺動させる際に、第１スライダー５０の上下フランジ５５，５６と干渉するように形成されている。これにより、第１スライダー５０が第２開離嵌挿部材４０のスライダー係脱部４２（特に第１係脱部４２ａ）に保持されている状態から前方へ向けて摺動する際に、第１スライダー５０がスライダー係脱部４２から離れても、第１スライダー５０から第２開離嵌挿部材４０が抜出することを防止できる。【００８１】
位置保持用隆起部４４ｂにおける対向側面（右側側面）は、本体部４１の対向側面と同一面上に配されている。また、位置保持用隆起部４４ｂにおける左右方向の幅寸法は、後方に向けて漸増している。このため、隆起部４４全体のテープ内方側の側縁は、正面側から見たときに、対向側面側に凹むように屈曲している。【００８２】
この位置保持用隆起部４４ｂは、後述するように、第２開離嵌挿部材４０を第１及び第２スライダー５０，６０に挿入する際に、第１スライダー５０の上下フランジ５５，５６の後口側端部に当接するように形成されている。これにより、第１及び第２スライダー５０，６０に挿入される第２開離嵌挿部材４０の位置が後方側にずれないように、第２開離嵌挿部材４０を所定の位置に保持することができる。【００８３】
第２開離嵌挿部材４０におけるガイド部４５は、後方側の摺動端部に保持された第１及び第２スライダー５０，６０に第２開離嵌挿部材４０を挿入する際に、第２スライダー６０の後述する肩口からエレメント案内路内に進入可能なように、本体部４１の前端部に所定の大きさで配されている。【００８４】
このガイド部４５は、隆起部４４よりも厚く形成されており、ガイド部４５における上下方向の厚さ寸法は、ファスナーエレメント２５の厚さ寸法、及び第２開離嵌挿部材４０における第１係脱部４２ａの厚さ寸法と同じ大きさに設定されている。更に、ガイド部４５は、第１ファスナーストリンガー１０のエレメント列１１において最も第１開離嵌挿部材３０側に配されたファスナーエレメント１５と噛み合わせることができるように、ガイド部４５の前半部がエレメント形状を有するように形成されている。【００８５】
第２開離嵌挿部材４０における挿入凹部４６は、第１開離嵌挿部材３０の補助係止部３５に対応するように、本体部４１の前端部における下面側に凹設されている。この挿入凹部４６は、左右のエレメント列１１，２１を噛合させるときに、第１開離嵌挿部材３０の補助係止部３５が挿入される。これにより、左右のエレメント列１１，２１を噛合させたときに、第１開離嵌挿部材３０と第２開離嵌挿部材４０の相対的な位置が上下方向にずれることを防いでいる。【００８６】
第２開離嵌挿部材４０におけるリブ部４７は、第２開離嵌挿部材４０を補強するとともに第２開離嵌挿部材４０を摘んで把持し易くするために、本体部４１の上面及び下面に配されている。この場合、第２開離嵌挿部材４０の隆起部４４とリブ部４７との間の空間は、第１スライダー５０が摺動するときに第１スライダー５０の上下フランジが走行する通路となる。【００８７】
なお、本体部４１は、隆起部４４とリブ部４７との間の空間から、リブ部４７とスライダー係脱部４２との間の空間（挿入溝４２ｃ）まで連続して同じ厚さ（上下方向の寸法）を有しており、その本体部４１の表裏面は平坦に形成されている。【００８８】
第１及び第２スライダー５０，６０は、それぞれ、スライダー胴体５１，６１と引手５１ａ，６１ａとを有している。スライダー胴体５１，６１は、上翼板５２，６２と、下翼板５３，６３と、上下翼板５２，５３，６２，６３をスライダー端部にて連結する連結柱５４，６４と、上翼板５２，６２の左右側縁から垂設された上フランジ５５，６５と、下翼板５３，６３の左右側縁から立設された下フランジ５６，６６と、上翼板５２，６２の上面に立設された引手取付柱５７，６７と、上翼板５２，６２に配された停止爪５８，６８とを有している。引手５１ａ，６１ａは、引手取付柱５７，６７に回動可能に取着されている。【００８９】
この場合、第１及び第２スライダー５０，６０における上下翼板５２，５３，６２，６３間の間隔は、第１開離嵌挿部材３０におけるスライダー止部３２の厚さ寸法、及び第２開離嵌挿部材４０における第２係脱部４２ｂの厚さ寸法よりも小さく設定されている。【００９０】
また、スライダー胴体５１，６１の連結柱５４，６４が配されている側の端部には肩口が左右に形成されるとともに、その反対側の端部には後口が形成されている。スライダー胴体５１，６１内には、左右の肩口と後口とを連通する略Ｙ字状のエレメント案内路５９，６９が設けられている。【００９１】
この場合、第１及び第２スライダー５０，６０の停止爪５８，６８は、弾性部材で構成されており、図５に示したように、第１及び第２スライダー５０，６０の非操作状態のときに、停止爪５８，６８の一部をエレメント案内路５９，６９内に突出させている。また、第１及び第２スライダー５０，６０を操作するときには、引手５１ａ，６１ａが引っ張られることにより、同引手５１ａ，６１ａによって停止爪５８，６８が上方に持ち上げられ、突出していた停止爪５８，６８の一部をエレメント案内路５９，６９内から退避させることができる。【００９２】
第１及び第２スライダー５０，６０が、このような停止爪５８，６８を有することにより、第１スライダー５０又は第２スライダー６０をエレメント列１１，２１の任意の位置で停止させたときに、停止爪５８，６８の一部がエレメント案内路５９，６９内に突出してエレメント列１１，２１に係止されるため、第１スライダー５０又は第２スライダー６０をその停止させた位置で保持することが可能となる。【００９３】
本実施例１において、第１スライダー５０と第２スライダー６０とは、互いの後口が相対する向きで第１ファスナーストリンガー１０のエレメント列１１に摺動可能に取着されている。また、第１スライダー５０は、第２スライダー６０よりも第１開離嵌挿部材３０側に配されている。【００９４】
更に、本実施例１において、第１スライダー５０の上下フランジ５５，５６間の間隔７１と、第２スライダー６０の上下フランジ６５，６６間の間隔７２とは、互いに異なる大きさに設定されている。具体的には、第１スライダー５０の上下フランジ５５，５６間の間隔７１は、第２スライダー６０の上下フランジ６５，６６間の間隔７２よりも大きく設定されている。【００９５】
また、この第１スライダー５０における間隔７１は、第２開離嵌挿部材４０における本体部３１の厚さ寸法７３よりも大きく、また、第２開離嵌挿部材４０における第１係脱部４２ａ及び隆起部４４の厚さ寸法７４，７５よりも小さく設定されている。
一方、第２スライダー６０の上下フランジ６５，６６間の間隔７２は、第２開離嵌挿部材４０における本体部３１及び隆起部４４の厚さ寸法７３，７５よりも大きく、第２開離嵌挿部材４０における第１係脱部４２ａの厚さ寸法７４よりも小さく設定されている。【００９６】
そして、第１及び第２スライダー５０，６０の上下フランジ５５，５６，６５，６６間の間隔７１，７２が、第２開離嵌挿部材４０との間で上述のような関係を有していることにより、第１及び第２スライダー５０，６０に対して、第２開離嵌挿部材４０を第１及び第２スライダー５０，６０の上下フランジ５５，５６，６５，６６間の間隙を介して挿入することが可能となる。【００９７】
この場合、第２開離嵌挿部材４０は、第１及び第２スライダー５０，６０が第１開離嵌挿部材３０側の摺動端部に保持されている状態にて、第１及び第２スライダー５０，６０の上下フランジ５５，５６，６５，６６間の間隙を介して、第１及び第２スライダー５０，６０内に挿入でき、また、第１及び第２スライダー５０，６０内から抜出できる挿抜領域を有している。このような挿抜領域は、第２開離嵌挿部材４０における本体部３１の一部と隆起部４４の一部とを含んでおり、特に、抜止用隆起部４４ａは、第２スライダー６０に対して挿抜される挿抜領域内に配されている。【００９８】
なお、本実施例１において、第１及び第２スライダー５０，６０の上下フランジ５５，５６，６５，６６間の間隔７１，７２は、ファスナーエレメント１５，２５の厚さ寸法、及び第１開離嵌挿部材３０の本体部３１の厚さ寸法よりも小さく設定されている。このため、第１及び第２スライダー５０，６０が第１ファスナーストリンガー１０から外れることはない。【００９９】
このような本実施例１の逆開きスライドファスナー１において、第１スライダー５０を第１開離嵌挿部材３０側の摺動端部に保持する保持構造は、第１スライダー５０の停止爪５８と、第１開離嵌挿部材３０に形成された収容凹部３４とにより構成されている。【０１００】
また、第１及び第２スライダー５０，６０に第２開離嵌挿部材４０を挿入した際に、第１開離嵌挿部材３０に対して第２開離嵌挿部材４０の相対的な位置決めを行う位置決め構造は、本実施例で示すように、上述の保持構造（即ち、第１スライダー５０の停止爪５８、及び第１開離嵌挿部材３０の収容凹部３４）と、第２開離嵌挿部材４０のスライダー係脱部４２とにより構成されていることが好ましい。【０１０１】
次に、上述のような構成を有する本実施例１の逆開きスライドファスナー１について、第１及び第２ファスナーストリンガー１０，２０が分離している状態から、左右のエレメント列１１，２１を噛合させて第１及び第２ファスナーストリンガー１０，２０を閉鎖する場合について、図６〜図１１を参照しながら説明する。なお、図６〜図１１においては、第１及び第２開離嵌挿部材３０，４０の関係を判り易くするために、第１及び第２スライダー５０，６０を仮想線で示している。【０１０２】
先ず、第１スライダー５０と第２スライダー６０を、第１ファスナーストリンガー１０のエレメント列１１に沿って後方へ向けて摺動させる。このとき、第１スライダー５０を、その上下翼板５２，５３の肩口側端部が第１開離嵌挿部材３０のスライダー止部３２に当接する摺動端部の位置に移動させ、また、第２スライダー６０を、その上下翼板６２，６３の後口側端部が当該第１スライダー５０に当接する摺動端部の位置に移動させる。【０１０３】
更に、摺動端部に移動した第１スライダー５０は、同第１スライダー５０の停止爪５８の一部をエレメント案内路５９に突出させることにより、停止爪５８の一部が第１開離嵌挿部材３０の収容凹部３４に収容される。これにより、第１スライダー５０は、第１開離嵌挿部材３０側の摺動端部の位置で保持（仮固定）される。【０１０４】
上述のように第１及び第２スライダー５０，６０がそれぞれの摺動端部の位置に移動した後、図６に示したように、第２ファスナーストリンガー２０の第２開離嵌挿部材４０を、第１スライダー５０の左斜め後方から接近させる。更に、第２開離嵌挿部材４０の本体部３１の一部を、第１スライダー５０の上下フランジ５５，５６間の間隙を介してエレメント案内路５９内に挿入するとともに、同第２開離嵌挿部材４０の第２係脱部４２ｂを第１スライダー５０の上下翼板５２，５３の肩口側端縁部に係止させる（引っ掛ける）。これにより、第２開離嵌挿部材４０を、第１スライダー５０及び第１開離嵌挿部材３０に対して所定の位置に位置決めすることができる。【０１０５】
次に、第２係脱部４２ｂで第１スライダー５０に係止させた第２開離嵌挿部材４０を、第２係脱部４２ｂと第１スライダー５０とが当接している部分を軸にして、正面側から見て時計周りの方向（挿入方向）に回動させる。このとき、第２開離嵌挿部材４０の第１スライダー５０に挿入される挿抜領域（本体部３１）の厚さ寸法７３は、第１スライダー５０の上下フランジ５５，５６間の間隔７１よりも小さく、また、第２開離嵌挿部材４０の第２スライダー６０に挿入される挿抜領域（隆起部４４）の厚さ寸法７５は、第２スライダー６０の上下フランジ６５，６６間の間隔７２よりも小さく設定されている。【０１０６】
従って、第２開離嵌挿部材４０を時計周りの方向（挿入方向）に回動させることによって、図７及び図８に示したように、第２開離嵌挿部材４０の第１係脱部４２ａを第１スライダー５０の上下フランジ５５，５６の肩口側端部に係止させるとともに、第２開離嵌挿部材４０の挿抜領域を、第１及び第２スライダー５０，６０の上下フランジ５５，５６，６５，６６間の間隙を介してエレメント案内路５９，６９内に容易に挿入することができる。【０１０７】
またこの場合、第１及び第２スライダー５０，６０は第１開離嵌挿部材３０側の摺動端部に位置しているため、第２開離嵌挿部材４０を回動させてその挿抜領域を第１及び第２スライダー５０，６０内に挿入する際に、第２開離嵌挿部材４０のガイド部４５を第２スライダー６０の肩口からエレメント案内路６９内に進入させることができる。なお、このときに第２スライダー６０が第１開離嵌挿部材３０側の摺動端部に移動していなかった場合、第２開離嵌挿部材４０を回動させても、ガイド部４５を第２スライダー６０の肩口からエレメント案内路６９内に進入させることができない。【０１０８】
即ち、本実施例１の逆開きスライドファスナー１では、第２開離嵌挿部材４０を回動させて同第２開離嵌挿部材４０のガイド部４５を第２スライダー６０の肩口からエレメント案内路６９内に進入させることにより、第２スライダー６０が摺動端部の所定の位置に配置されていることを使用者に確認させることができる。更に、ガイド部４５が第２開離嵌挿部材４０の前端部に所定の大きさで配されていることにより、ガイド部４５が第２スライダー６０のエレメント案内路６９内に移動して収容されたときに、第２開離嵌挿部材４０が第２スライダー６０の摺動を可能とする所定の位置まで回動したことを使用者に確認させることもできる。【０１０９】
また、本実施例１では、第２開離嵌挿部材４０を回動させて第１及び第２スライダー５０，６０内に挿入するときに、第２開離嵌挿部材４０の位置保持用隆起部４４ｂを第１スライダー５０の上下フランジ５５，５６の後口側端部に当接させながら、第２開離嵌挿部材４０の挿入を行うこともできる。このように第２開離嵌挿部材４０の位置保持用隆起部４４ｂを第１スライダー５０に当接させることにより、第２開離嵌挿部材４０の位置が第１開離嵌挿部材３０や第１スライダー５０に対して後方側にずれないように、その位置決めを容易に行うことができる。【０１１０】
上述のように第２開離嵌挿部材４０を回動させることにより、同第２開離嵌挿部材４０を、図７に示すように、ガイド部４５が第２スライダー６０のエレメント案内路６９内に収容され、更に、第２開離嵌挿部材４０が第２スライダー６０の連結柱６４に当接するまで容易に挿し込むことができる。【０１１１】
第２開離嵌挿部材４０が十分に挿し込まれた後、引き続いて、第２スライダー６０を前方に向けて摺動させる。第２スライダー６０を前方に摺動させることにより、第１ファスナーストリンガー１０のファスナーエレメント１５と第２ファスナーストリンガー２０のファスナーエレメント２５を噛合させる向きに移動させるので、第２開離嵌挿部材４０を第１開離嵌挿部材３０に更に接近するように回動させることができる。【０１１２】
これにより、第２開離嵌挿部材４０の係止凸部４３を第１開離嵌挿部材３０の係止凹部３３内に挿入して係止させることができ、それによって、第２開離嵌挿部材４０の位置が第１開離嵌挿部材３０や第１スライダー５０に対して後方側にずれることを防止できる。【０１１３】
なお、上述のように第２開離嵌挿部材４０の係止凸部４３が第１開離嵌挿部材３０の係止凹部３３内に挿入される際に、第２開離嵌挿部材４０が回動して第２開離嵌挿部材４０の位置保持用隆起部４４ｂが第１開離嵌挿部材３０側に移動することにより、同位置保持用隆起部４４ｂが第１スライダー５０に当接している状態が解除される。【０１１４】
即ち、本実施例１では、第２開離嵌挿部材４０を第１及び第２スライダー５０，６０に挿入するときから、第２スライダー６０の摺動によって第２開離嵌挿部材４０の係止凸部４３が第１開離嵌挿部材３０の係止凹部３３内に挿入されるまでは、第２開離嵌挿部材４０の位置保持用隆起部４４ｂが第１スライダー５０に当接することによって、第２開離嵌挿部材４０の位置ずれを防ぐ。また、第２開離嵌挿部材４０の係止凸部４３が第１開離嵌挿部材３０の係止凹部３３内に挿入された後は（若しくは、挿入される直前からは）、係止凸部４３が係止凹部３３に係止されることにより、第２開離嵌挿部材４０の位置ずれを防ぐことができる。【０１１５】
その後、第２スライダー６０を更に前方へ摺動させることにより、第２開離嵌挿部材４０のガイド部４５を第１ファスナーストリンガー１０のエレメント列１１の最も後方に配されたファスナーエレメント１５に噛み合わせ、更に、図９に示したように左右のエレメント列１１，２１を後端部から順番に噛合させる。これにより、第１及び第２ファスナーストリンガー１０，２０を円滑に閉鎖させることができる。【０１１６】
なお、第１及び第２ファスナーストリンガー１０，２０が閉鎖状態にある場合、第２開離嵌挿部材４０の第１係脱部４２ａが第１スライダー５０の上下フランジ５５，５６に係止されているため、第２開離嵌挿部材４０が第１スライダー５０から抜け出ることを防止できる。これにより、例えば第１スライダー５０が第１開離嵌挿部材３０に保持されている状態で、第１及び第２ファスナーストリンガー１０，２０が、お互いを引き離す方向に引っ張る横引き力を受けたとしても、第１及び第２開離嵌挿部材４０が第１スライダー５０から抜け出すことはなく、左右のエレメント列１１，２１の後端側からファスナーエレメント１５，２５の噛合が外れること（噛合割れが生じること）を防止できる。【０１１７】
そして、上述のように第１及び第２ファスナーストリンガー１０，２０を閉鎖させた後、例えば噛合状態にある左右のエレメント列１１，２１を後端部側から分離させる場合は、第１開離嵌挿部材３０に保持されている第１スライダー５０の引手５１ａを引っ張ることにより、第１スライダー５０の停止爪５８を第１開離嵌挿部材３０の収容凹部３４から退避させるとともに、同第１スライダー５０を前方へ摺動させる。【０１１８】
このとき、第１開離嵌挿部材３０の係止凹部３３に形成される後方側の壁面部３３ａは、前述のように第２開離嵌挿部材４０側に突出して形成されている。このため、第１スライダー５０は前方への摺動を開始するとともに、図１０に示したように、第１スライダー５０の連結柱５４と第１開離嵌挿部材３０における前記壁面部３３ａとの干渉により、第１スライダー５０が時計周りの方向に回動し、第１スライダー５０の姿勢がテープ長さ方向に対して傾けられる。【０１１９】
この場合、本実施例１では、第１スライダー５０の上下フランジ５５，５６間の間隔７１が、上述のように第２開離嵌挿部材４０の隆起部４４の厚さ寸法７５よりも小さく設定されているものの、隆起部４４におけるテープ内方側の側縁は対向側面側に凹むように屈曲している。【０１２０】
このため、抜止用隆起部４４ａと位置保持用隆起部４４ｂとの連結部における幅寸法が一番小さくなるので、上述のように第１スライダー５０の連結柱５４と第１開離嵌挿部材３０の前記壁面部３３ａとの干渉により第１スライダー５０の姿勢が傾いても、第１スライダー５０は、隆起部４４のテープ内方側の側縁における凹み部分を利用することにより、上下フランジ５５，５６が第２開離嵌挿部材４０の隆起部４４に引っ掛かることを防いで、前方へ向けて円滑に摺動することができる。【０１２１】
そして、第１スライダー５０の連結柱５４が第１開離嵌挿部材３０における前記壁面部３３ａを越えて、連結柱５４と前記壁面部３３ａとの干渉が解除されると、第１スライダー５０は、反時計回りの方向に回動してその姿勢を戻しながら前方に摺動する。【０１２２】
なお、本実施例１では、第１スライダー５０を第１開離嵌挿部材３０側の摺動端部から上述のように前方へ摺動させたときに、第２開離嵌挿部材４０のスライダー係脱部４２と第１スライダー５０との係止状態が解除されるものの、その係止状態が解除されると同時に、第２開離嵌挿部材４０の隆起部４４が第１スライダー５０のエレメント案内路５９，６９内に挿入される。【０１２３】
この場合、第２開離嵌挿部材４０の隆起部４４の厚さ寸法７５は、図１１に示すように、第１スライダー５０の上下フランジ５５，５６間の間隔７１よりも大きく設定されている。従って、例えば第１スライダー５０が第１及び第２開離嵌挿部材３０，４０上を摺動する際に、第１及び第２ファスナーストリンガー１０，２０が横引き力を受けたとしても、第２開離嵌挿部材４０の隆起部４４が第１スライダー５０の上下フランジ５５，５６に摺接するため、第２開離嵌挿部材４０が第１スライダー５０から抜け出すことはない。【０１２４】
その後、第１スライダー５０を摺動させて、同第１スライダー５０の後口側からエレメント案内路５９内に左右のエレメント列１１，２１が導入されることにより、左右のエレメント列１１，２１同士の噛合を解除して、例えば図１に示したように、第１及び第２ファスナーストリンガー１０，２０を後端側から容易に開くことができる。【０１２５】
次に、本実施例１の逆開きスライドファスナー１について、図１に示すように左右のエレメント列１１，２１の少なくとも一部が噛合している状態から、第１及び第２ファスナーストリンガー１０，２０を完全に分離させて逆開きスライドファスナー１を開く場合について説明する。【０１２６】
先ず、第１及び第２スライダー５０，６０をエレメント列１１，２１に沿って後方へ向けて摺動させ、第１及び第２スライダー５０，６０を摺動端部の位置に保持する。このとき、第１スライダー５０が摺動端部の位置に移動することにより、第２開離嵌挿部材４０のスライダー係脱部４２が第１スライダー５０に係止される。【０１２７】
また、第２スライダー６０が摺動端部の位置に移動することにより、第２スライダー６０の連結柱６４によって第２開離嵌挿部材４０のガイド部４５が第１開離嵌挿部材３０から離間する方向に案内される。それによって、第１スライダー５０に係止されている第２開離嵌挿部材４０は、正面側から見て反時計周りの方向（抜出方向）に少し回動する。このとき、逆開きスライドファスナー１は、図７に示された状態となる。【０１２８】
その後、第２開離嵌挿部材４０を、第２開離嵌挿部材４０の第２係脱部４２ｂと第１スライダー５０とが当接している部分を軸にして反時計回り方向（抜出方向）に回動させる。これにより、第２スライダー６０のエレメント案内路６９内に挿入されている第２開離嵌挿部材４０のガイド部４５を第２スライダー６０の肩口から抜き出しながら、第２開離嵌挿部材４０の挿抜領域を、第１及び第２スライダー５０，６０の上下フランジ５５，５６，６５，６６間の間隙７１，７２を介して、第１及び第２スライダー５０，６０から抜出させることができる。【０１２９】
更に、第２開離嵌挿部材４０のガイド部４５が第２スライダー６０から抜き出された後、第２開離嵌挿部材４０を第１スライダー５０に対して左斜め後方に移動させることにより、第２開離嵌挿部材４０が第１及び第２スライダー５０，６０から完全に抜出するため、第１ファスナーストリンガー１０と第２ファスナーストリンガー２０とを分離することができる。【０１３０】
以上のように、本実施例１の逆開きスライドファスナー１では、分離している左右の第１及び第２ファスナーストリンガー１０，２０を閉鎖する場合に、第２開離嵌挿部材４０を第１スライダー５０に係止して位置決めしてから、第２開離嵌挿部材４０を回動させる。これにより、第２開離嵌挿部材４０を第１及び第２スライダー５０，６０の上下フランジ５５，５６，６５，６６間の間隙７１，７２から第１及び第２スライダー５０，６０内に挿入することができる。【０１３１】
従って、同逆開きスライドファスナー１によれば、例えば従来の逆開きスライドファスナーのように、第２開離嵌挿部材を第２スライダーの肩口を介してエレメント案内路に挿入する必要がなく、第２開離嵌挿部材４０を第１及び第２スライダー５０，６０内の所定の位置に容易に且つ安定して挿入することができる。【０１３２】
このため、第１及び第２スライダー５０，６０に対する第２開離嵌挿部材４０の挿し込みが不十分になる可能性を小さくし、第２開離嵌挿部材４０を挿し込み直すことや、第２スライダー６０を強引に引っ張ってスライドファスナーを破損させることなどの不具合の発生を低減できる。【０１３３】
更に、同逆開きスライドファスナー１によれば、第２開離嵌挿部材４０を第１及び第２スライダー５０，６０から抜出するときにも、第１及び第２スライダー５０，６０の上下フランジ５５，５６，６５，６６間の間隙７１，７２を介して第２開離嵌挿部材４０を抜出できるため、第１及び第２ファスナーストリンガー１０，２０の分離操作も円滑に行うことができる。従って、逆開きスライドファスナー１の開離嵌挿操作の操作性を、大幅に向上させることができる。【０１３４】
なお、上述の実施例１における第１スライダー５０と第２スライダー６０とでは上下フランジ５５，５６，６５，６６間の間隔７１，７２が互いに異なるため、第１スライダー５０と第２スライダー６０とに同じ形状を有するスライダーを用いることができない。このため、例えば実施例１の逆開きスライドファスナー１を組み立てる際に、第１スライダー５０と第２スライダー６０の位置関係を間違えて、第２スライダー６０を第１スライダー５０よりも第１開離嵌挿部材３０側に取り付けてしまうことが考えられる。【０１３５】
このように第１スライダー５０と第２スライダー６０の取り付けを間違えてしまうと、第１及び第２スライダー５０，６０の上下フランジ５５，５６，６５，６６間の間隙７１，７２と第２開離嵌挿部材４０の厚さ寸法との関係から、第２開離嵌挿部材４０を第１及び第２スライダー５０，６０内に挿入できなくなり、スライドファスナーとして機能しなくなるおそれも考えられる。【０１３６】
そこで、このような問題を解消するために、本発明において、図１２及び図１３に示した変形例に係るスライダー８０を、逆開きスライドファスナー１の第１及び第２スライダー５０，６０として使用することもできる。【０１３７】
ここで、図１２及び図１３のスライダーについて具体的に説明すると、このスライダー８０は、スライダー胴体８１と、上述の実施例１と同様の図示しない引手とを有している。スライダー胴体８１は、上翼板８２と、下翼板８３と、上下翼板８２，８３をスライダー端部にて連結する連結柱８４と、上翼板８２の左右側縁から垂設された上フランジ８５と、下翼板８３の左右側縁から立設された下フランジ８６と、上翼板８２の上面に立設された引手取付柱８７と、上翼板８２に配された図示しない停止爪とを有している。【０１３８】
また、スライダー胴体８１の連結柱８４が配されている側の端部には肩口が左右に形成されるとともに、その反対側の端部には後口が形成されている。スライダー胴体８１内には、左右の肩口と後口とを連通する略Ｙ字状のエレメント案内路８９が設けられている。【０１３９】
更に、同スライダー８０において、例えば後口側からスライダー胴体８１を見たときに（図１３を参照）、左側の上下フランジ８５，８６間の間隔７６が、右側の上下フランジ８５，８６間の間隔７７よりも大きく設定されている。この場合、左側の上下フランジ８５，８６間の間隔７６は、第２開離嵌挿部材４０における本体部３１及び隆起部４４の厚さ寸法７３，７５よりも大きく、また、第２開離嵌挿部材４０における第１係脱部４２ａの厚さ寸法７４よりも小さく設定されている。【０１４０】
また、右側の上下フランジ８５，８６間の間隔７７は、第２開離嵌挿部材４０における本体部３１の厚さ寸法７３よりも大きく、第２開離嵌挿部材４０における第１係脱部４２ａ及び隆起部４４の厚さ寸法７４，７５よりも小さく設定されている。【０１４１】
このような形状を有する２つのスライダー８０を、後口同士が相対する向きで第１ファスナーストリンガー１０のエレメント列１１，２１に取着して、上述の実施例１の逆開きスライドファスナー１における第１及び第２スライダーとして使用することができる。【０１４２】
これにより、第２開離嵌挿部材４０を第１スライダー８０に係止させた後に（例えば図６を参照）、第２開離嵌挿部材４０を挿入方向に回動させることにより、第２開離嵌挿部材４０の挿抜領域を、第１及び第２スライダー８０，８０の上下フランジ８５，８６間の間隙７７，７６を介してエレメント案内路８９内に容易に挿入することが可能となる。また、第２開離嵌挿部材４０を第１及び第２スライダー８０，８０から抜出するときにも、第１及び第２スライダー８０，８０の上下フランジ８５，８６間の間隙７７，７６を介して第２開離嵌挿部材４０の抜出を容易に行うことができる。【０１４３】
更にこの場合、第１スライダー８０と第２スライダー８０とに同じ形状を有するスライダーを用いることができるため、逆開きスライドファスナーを組み立てる際に、第１スライダー８０と第２スライダー８０の取り付け間違えが生じることはない。従って、正常に機能する逆開きスライドファスナー１を容易に且つ安定して組み立てることができる。【０１４４】
なお、上述の実施例１に係る逆開きスライドファスナー１は、第１及び第２スライダー５０，６０に挿入する操作が行われる第２開離嵌挿部材４０が、左側の第２ファスナーストリンガー２０に配されている所謂左挿しタイプの逆開きスライドファスナー１として構成されている。【０１４５】
しかし、本発明に係る逆開きスライドファスナーはこれに限定されるものではなく、例えば第１及び第２スライダーに挿入する操作が行われる第２開離嵌挿部材を、右側の第２ファスナーストリンガーに取着した所謂右挿しタイプの逆開きスライドファスナーとして構成することも可能である。【０１４６】
更に、例えば逆開きスライドファスナーが右挿しタイプとして構成される場合において、その逆開きスライドファスナーの組み立て時に、第１スライダーと第２スライダーの取り付け間違えが生じることを防ぐために、第１及び第２スライダーとして、図１４に示した同じ形状を有するスライダー９０を用いることが可能である。【０１４７】
この図１４に示したスライダーでは、例えば後口側からスライダー胴体９１を見たときに、左側の上下フランジ９５，９６間の間隔７８が、右側の上下フランジ９５，９６間の間隔７９よりも大きく設定されている。また、左側の上下フランジ９５，９６間の間隔７８は、第２開離嵌挿部材４０における本体部３１の厚さ寸法７３よりも大きく、第２開離嵌挿部材４０における第１係脱部４２ａ及び隆起部４４の厚さ寸法７４，７５よりも小さく設定されている。更に、右側の上下フランジ９５，９６間の間隔７９は、第２開離嵌挿部材４０における本体部３１及び隆起部４４の厚さ寸法７３，７５よりも大きく、第２開離嵌挿部材４０における第１係脱部４２ａの厚さ寸法よりも小さく設定されている。
【実施例２】
【０１４８】
図１５は、本実施例２の逆開きスライドファスナーの要部を示す正面図である。
本実施例２における逆開きスライドファスナー１０１は、前述の実施例１における逆開きスライドファスナー１に対して、第２開離嵌挿部材１１０のスライダー係脱部１１２及びリブ部１１７の形態が相違すること以外については、基本的に同じ構成を有している。【０１４９】
このため、本実施例２の逆開きスライドファスナー１０１において、前述の実施例１にて説明した部材及び部位と同様の構成を有するものについては、同じ符号を用いて表すことによってその説明を省略することとする。なお、後述する実施例３〜実施例５の逆開きスライドファスナーについても、前述の実施例１と同様の構成を有するものについては、同じ符号を用いて表すことによってその説明を省略することとする。【０１５０】
本実施例２における左側の第２ファスナーストリンガー２０に配された第２開離嵌挿部材１１０は、ファスナーテープ２２に固着された本体部４１と、本体部４１の後端部に配されたスライダー係脱部１１２と、本体部４１の第１開離嵌挿部材３０に対向する対向側面から突出した係止凸部４３と、本体部４１の上面及び下面に配された隆起部４４と、本体部４１の前端部に配されたガイド部４５と、本体部４１の下面側に形成され、第１開離嵌挿部材３０の補助係止部３５を挿入することが可能な挿入凹部４６と、第２開離嵌挿部材１１０を補強するとともに第２開離嵌挿部材１１０を操作し易くするリブ部１１７とを有している。【０１５１】
第２開離嵌挿部材１１０におけるスライダー係脱部１１２は、本体部４１の後端部における上面及び下面から上下方向へピン状に突設されており、第１スライダー５０の上下フランジ５５，５６の肩口側端部に係止可能に形成されている。また、第２開離嵌挿部材１１０は、スライダー係脱部１１２がピン状に形成されていることにより、同スライダー係脱部１１２で第１スライダー５０に係止された状態で、スライダー係脱部１１２と第１スライダー５０とが当接している部分を軸にして、第１スライダー５０に対して挿抜方向（時計周り方向及び反時計周り方向）に回動することが可能に構成されている。【０１５２】
第２開離嵌挿部材１１０におけるリブ部１１７は、本体部４１におけるテープ内方側の側縁と、本体部４１における後端縁とに沿って配されている。また、このリブ部１１７は、ピン状のスライダー係脱部１１２に接続されている。【０１５３】
このような第２開離嵌挿部材１１０を有する本実施例２の逆開きスライドファスナー１０１であれば、分離している左右の第１及び第２ファスナーストリンガー１０，２０を閉鎖する場合に、前述の実施例１と同様に、第２開離嵌挿部材１１０を第１スライダー５０に係止して位置決めしてから、第２開離嵌挿部材１１０を回動させることにより、第２開離嵌挿部材１１０を第１及び第２スライダー５０，６０の上下フランジ５５，５６，６５，６６間の間隙７１，７２から第１及び第２スライダー５０，６０内に挿入することができる。【０１５４】
即ち、第１及び第２スライダー５０，６０を摺動端部の位置に移動させた後、第２開離嵌挿部材１１０を、第１スライダー５０の左斜め後方から接近させる。更に、第２開離嵌挿部材１１０の本体部４１の一部を、第１スライダー５０の上下フランジ５５，５６間の間隙７１からエレメント案内路５９内に挿入するとともに、同第２開離嵌挿部材１１０のピン状のスライダー係脱部１１２を第１スライダー５０の上下翼板５２，５３の肩口側端縁部に係止させる（引っ掛ける）。これにより、第２開離嵌挿部材１１０を、第１スライダー５０及び第１開離嵌挿部材３０に対して所定の位置に位置決めすることができる。【０１５５】
更に、第１スライダー５０に係止させた第２開離嵌挿部材１１０を、スライダー係脱部１１２を軸にして挿入方向に回動させる。これによって、第２開離嵌挿部材１１０の挿抜領域を、第１及び第２スライダー５０，６０の上下フランジ５５，５６，６５，６６間の間隙７１，７２を介してエレメント案内路５９，６９内に容易に且つ安定して挿入することができる。【０１５６】
従って、この本実施例２の逆開きスライドファスナー１０１も、前述の実施例１と同様に、逆開きスライドファスナー１０１の開離嵌挿操作の操作性を向上させることができるとともに、第２開離嵌挿部材１１０の挿し込みが不十分になる可能性を小さくすることができる。
【実施例３】
【０１５７】
図１６は、本実施例３の逆開きスライドファスナーの要部を示す正面図である。
本実施例３における逆開きスライドファスナー１０２は、第１開離嵌挿部材１３０のスライダー止部１３２の形態と、第２開離嵌挿部材１４０のスライダー係脱部１４２及びリブ部１４７の形態が相違すること以外については、前述の実施例１における逆開きスライドファスナー１と基本的に同じ構成を有している。【０１５８】
本実施例３における第１開離嵌挿部材１３０は、ファスナーテープ１２に固着された本体部３１と、本体部３１の後端部に配されたスライダー止部１３２と、本体部３１の上面側に配され、第２開離嵌挿部材１４０の係止凸部４３を嵌入可能な係止凹部３３と、本体部３１の上面側に形成され、第１スライダー５０の停止爪５８の一部を収容することが可能な収容凹部３４と、本体部３１の第２開離嵌挿部材１４０に対向する対向側面から突出した補助係止部３５とを有している。【０１５９】
第１開離嵌挿部材１３０におけるスライダー止部１３２は、第１スライダー５０における上下フランジ５５，５６の肩口側端部に当接可能なように、本体部３１の後端部から右側のファスナーテープ１２のテープ内方側（右側）に向けて湾曲して形成されている。第１開離嵌挿部材１３０において、スライダー止部１３２は本体部３１と同じ厚さ寸法を有するように形成されている。【０１６０】
本実施例３における第２開離嵌挿部材１４０は、ファスナーテープ２２に固着された本体部４１と、本体部４１の後端部に配されたスライダー係脱部１４２と、本体部４１の第１開離嵌挿部材１３０に対向する対向側面から突出した係止凸部４３と、本体部４１の上面及び下面に配された隆起部４４と、本体部４１の前端部に配されたガイド部４５と、本体部４１の下面側に形成され、第１開離嵌挿部材１３０の補助係止部３５を挿入することが可能な挿入凹部４６と、第２開離嵌挿部材１４０を補強するとともに第２開離嵌挿部材１４０を操作し易くするリブ部１４７とを有している。【０１６１】
第２開離嵌挿部材１４０におけるスライダー係脱部１４２は、本体部４１の後端部における対向側縁から、テープ幅方向のテープ外側（右側）に向けて突出するように形成されている。このスライダー係脱部１４２は、本体部４１よりも厚く（上下方向の厚さ寸法が大きく）形成されているとともに、リブ部１４７と同じ上下方向の厚さ寸法を有している。【０１６２】
第２開離嵌挿部材１４０におけるリブ部１４７は、本体部４１におけるテープ内方側の側縁と、本体部４１における後端縁とに沿って配されている。また、このリブ部１４７は、第１開離嵌挿部材１３０側に突出しているスライダー係脱部１４２に連接されている。【０１６３】
このような第１及び第２開離嵌挿部材１３０，１４０を有する本実施例３の逆開きスライドファスナー１０２であれば、分離している左右の第１及び第２ファスナーストリンガー１０，２０を閉鎖する場合に、前述の実施例１と同様に、第２開離嵌挿部材１４０を第１スライダー５０に係止して位置決めしてから、第２開離嵌挿部材１４０を回動させることにより、第２開離嵌挿部材１４０を第１及び第２スライダー５０，６０の上下フランジ５５，５６，６５，６６間の間隙７１，７２から第１及び第２スライダー５０，６０内に挿入することができる。このため、逆開きスライドファスナー１０２の開離嵌挿操作の操作性を向上させることができるとともに、第２開離嵌挿部材１４０の挿し込みが不十分になる可能性を小さくすることができる。
【実施例４】
【０１６４】
図１７は、本実施例４の逆開きスライドファスナーの要部を示す斜視図であり、図１８は、同逆開きスライドファスナーの第２開離嵌挿部材を示す側面図である。また、図１９は、同逆開きスライドファスナーに用いられる第２スライダーを後口側から見たときの模式図である。【０１６５】
本実施例４における逆開きスライドファスナー１０３は、第２開離嵌挿部材１５０の隆起部１５４の形態と、第２スライダー１６０における上下フランジ１６５，１６６間の間隔１７２とが相違すること以外については、前述の実施例１における逆開きスライドファスナー１と基本的に同じ構成を有している。【０１６６】
本実施例４における第２開離嵌挿部材１５０は、ファスナーテープ２２に固着された本体部４１と、本体部４１の後端部に配されたスライダー係脱部４２と、本体部４１の第１開離嵌挿部材３０に対向する対向側面から突出した係止凸部４３と、本体部４１の上面及び下面に配された隆起部１５４と、本体部４１の前端部に配されたガイド部４５と、本体部４１の下面側に形成され、第１開離嵌挿部材３０の補助係止部３５を挿入することが可能な挿入凹部４６と、第２開離嵌挿部材１５０を補強するとともに第２開離嵌挿部材１５０を操作し易くするリブ部４７とを有している。【０１６７】
第２開離嵌挿部材１５０における隆起部１５４は、本体部４１の上面及び下面から半球状に隆起した複数の抜止用隆起部１５４ａを有している。この場合、本体部４１の上下面のそれぞれには、３つの抜止用隆起部１５４ａが所定の間隔をもって前後方向に沿って配されている。なお、本実施例４の第２開離嵌挿部材１５０では、前述の実施例１における位置保持用隆起部５４ｂに対応するものが設けられていない。【０１６８】
本実施例４において、前方側（止具１３側）に配される第２スライダー１６０は、図１９に示すように、後方側（第１開離嵌挿部材３０側）に配される第１スライダー５０と同様の形状を有している。即ち、第１スライダー５０の上下フランジ５５，５６間の間隔７１と第２スライダー１６０の上下フランジ１６５，１６６間の間隔１７２とは、互いに同じ大きさに設定されている。【０１６９】
また、第１及び第２スライダー５０，１６０の上下フランジ５５，５６，１６５，１６６間の間隔７１，１７２は、第２開離嵌挿部材１５０における本体部４１の厚さ寸法よりも大きく、また、図２０に示したように、第２開離嵌挿部材１５０における隆起部１５４の厚さ寸法１７５よりも小さく設定されている。【０１７０】
このような第２開離嵌挿部材１５０と第２スライダー１６０を有する本実施例４の逆開きスライドファスナー１０３において、分離している左右の第１及び第２ファスナーストリンガー１０，２０を閉鎖する場合、先ず、第２開離嵌挿部材１５０のスライダー係脱部４２を第１スライダー５０に係止して第２開離嵌挿部材１５０を位置決めする。続いて、第２開離嵌挿部材１５０を、第１スライダー５０と当接している部分を軸にして時計周りの方向（挿入方向）に回動させる。【０１７１】
このとき、第２開離嵌挿部材１５０の抜止用隆起部１５４ａは、第２スライダー１６０の上下フランジ１６５，１６６間の間隔１７２よりも大きく設定されているものの、第２開離嵌挿部材１５０を第１及び第２スライダー５０，１６０の上下フランジ５５，５６，１６５，１６６間の間隙に押し込む。【０１７２】
これにより、図２０に示すように第２スライダー１６０の上下フランジ１６５，１６６を撓ませて上下フランジ１６５，１６６間の間隔１７２を拡げながら、抜止用隆起部１５４ａを第２スライダー１６０のエレメント案内路６９内に挿入して収容することができる。その後、第２スライダー１６０を前方に向けて摺動させることにより、第１及び第２ファスナーストリンガー１０，２０を円滑に閉鎖させることができる。【０１７３】
一方、エレメント列１１，２１が噛合状態にある第１及び第２ファスナーストリンガー１０，２０を分離させて逆開きスライドファスナー１０３を開く場合、第１及び第２スライダー５０，１６０を摺動端部の位置に移動させた後、第２開離嵌挿部材１５０を回動させる。【０１７４】
これにより、第１及び第２スライダー５０，１６０のエレメント案内路５９，６９内から、上下フランジ５５，５６，１６５，１６６間の間隔７１，１７２を介して、第２開離嵌挿部材１５０の抜止用隆起部１５４ａを抜出させる。このとき、第２開離嵌挿部材１５０の隆起部１５４は、第２スライダー１６０の上下フランジ１６５，１６６を撓ませて上下フランジ１６５，１６６間の間隔１７２を拡げることにより、容易に抜出することができる。【０１７５】
上述のように第２開離嵌挿部材１５０の抜止用隆起部１５４ａが第２スライダー１６０から抜き出された後、第２開離嵌挿部材１５０を第１スライダー５０に対して左斜め後方に移動させる。これにより、第１ファスナーストリンガー１０と第２ファスナーストリンガー２０とを分離することができる。【０１７６】
なお、上記では、図１９で説明したように、第１スライダー５０の上下フランジ５５，５６間の間隔７１と、第２スライダー１６０の上下フランジ１６５，１６６間の間隔１７２とは、互いに同じ大きさに設定されていると説明したが、本発明はこれに限定されず、例えば間隔１７２を間隔７１よりも大きく設定して、間隔１７２は抜止用隆起部１５４ａを乗り越え可能な寸法に、間隔７１は抜止用隆起部１５４ａを乗り越え不可能な寸法に設定することもできる。【０１７７】
以上のような本実施例４の逆開きスライドファスナー１０３であっても、第１及び第２スライダー５０，１６０の上下フランジ５５，５６，１６５，１６６間の間隙７１，１７２を介して第２開離嵌挿部材１５０を第１及び第２スライダー５０，１６０に対して挿抜することができる。このため、逆開きスライドファスナー１０３の開離嵌挿操作の操作性を向上させることができるとともに、第２開離嵌挿部材１５０の挿し込みが不十分になる可能性を小さくすることができる。
【実施例５】
【０１７８】
図２１は、本実施例５の逆開きスライドファスナーの要部を示す正面図であり、図２２は、同逆開きスライドファスナーにおける第１開離嵌挿部材の側面図である。
本実施例５における逆開きスライドファスナー１０４では、左右のエレメント列１１，２１を噛合させたときに、第１開離嵌挿部材１８０と第２開離嵌挿部材１９０の相対的な位置が上下方向にずれることを防ぐための構成が前述の実施例１〜実施例４と相違している。【０１７９】
具体的に説明すると、本実施例５における第１開離嵌挿部材１８０は、ファスナーテープ１２に固着された本体部３１と、本体部３１の後端部に配されたスライダー止部３２と、本体部３１の対向側面側に凹設された係止溝部１８４と、本体部３１の上面側に形成され、第１スライダー５０の停止爪５８の一部を収容することが可能な収容凹部３４とを有している。【０１８０】
この第１開離嵌挿部材１８０に形成された係止溝部１８４は、第２開離嵌挿部材１９０の後述する隆起部４４、嵌入片部１９３及び薄肉部１９６を嵌入可能なように形成されている。この係止溝部１８４は、図２２に示したように、第２開離嵌挿部材１９０の隆起部４４を嵌入可能な溝幅（溝の上下方向における間隔）に形成された第１係止溝部１８４ａと、この第１係止溝部１８４ａよりも溝幅が小さく、第２開離嵌挿部材１９０の後述する薄肉部１９６を嵌入する第２係止溝部１８４ｂとを有している。【０１８１】
この場合、第２係止溝部１８４ｂを構成する上壁部及び下壁部は、上面又は下面から見たときに、第２開離嵌挿部材１９０に形成した薄肉部１９６の形状に対応した形状を有している。更に、第２係止溝部１８４を構成する上壁部及び下壁部の前端は、第２開離嵌挿部材１９０のガイド部１９５と噛み合わせられるように、エレメント形状のような凹凸状に形成されている。【０１８２】
本実施例５における第２開離嵌挿部材１９０は、ファスナーテープ２２に固着された本体部４１と、本体部４１の後端部に配された第１及び第２スライダー係脱部４２ａ，４２ｂと、本体部４１の上面及び下面に配された隆起部４４と、隆起部４４の後方側に延設され、第１開離嵌挿部材１８０の係止溝部１８４に嵌入させる嵌入片部１９３と、隆起部４４の前端側に設けられた薄肉部１９６と、本体部４１の前端縁に配されたガイド部１９５と、第２開離嵌挿部材１９０を補強するリブ部４７とを有している。【０１８３】
この第２開離嵌挿部材１９０における嵌入片部１９３は、隆起部４４から後方に向けて矩形状に形成されている。また、本実施例５において、嵌入片部１９３の第１開離嵌挿部材１８０に対向する対向側面、隆起部４４の同対向側面、及び薄肉部１９６の同対向側面は同一平面上に配されている。このように嵌入片部１９３の対向側面を隆起部４４や薄肉部１９６の対向側面と同一の平面上に配することにより、嵌入片部１９３の強度を高めて同嵌入片部１９３を破損し難くすることができる。【０１８４】
同嵌入片部１９３は、第２開離嵌挿部材１９０の本体部４１の厚さ寸法と同じ厚さ寸法を有するように形成されている。なお、嵌入片部１９３の後方側は、第２開離嵌挿部材１９０が第１開離嵌挿部材１８０における係止溝部１８４の後方側壁面部や収容凹部３４の前方側壁面部と干渉しないように、テープ内方側（左側）に切り欠かれている。【０１８５】
第２開離嵌挿部材１９０における薄肉部１９６は、第２開離嵌挿部材１９０の対向側面からテープ内方側に向けて設けられており、また、隆起部４４とガイド部１９５とに囲まれるように配されている。この薄肉部１９６は、嵌入片部１９３と同様に、第２開離嵌挿部材１９０の本体部４１の厚さ寸法と同じ厚さ寸法を有するように形成されている。【０１８６】
第２開離嵌挿部材１９０におけるガイド部１９５は、隆起部４４よりも厚く形成されており、ガイド部１９５における上下方向の厚さ寸法は、ファスナーエレメント２５の厚さ寸法と同じ大きさに設定されている。また、同ガイド部１９５の前半部は、ファスナーエレメント１５と噛み合わせることができるようにエレメント形状を有するように形成され、後半部は、第１開離嵌挿部材１８０の係止溝部１８４を構成する上壁部及び下壁部の前端部と噛み合せられるような凹凸状に形成されている。【０１８７】
このような第１及び第２開離嵌挿部材１８０，１９０を有する本実施例５の逆開きスライドファスナー１０４であれば、前述の実施例１などと同様に、第２開離嵌挿部材１９０を第１スライダー５０に係止して位置決めしてから、第２開離嵌挿部材１９０を回動させることにより、第２開離嵌挿部材１９０を第１及び第２スライダー５０，６０の上下フランジ５５，５６，６５，６６間の間隙７１，７２から第１及び第２スライダー５０，６０内に挿入することができる。このため、逆開きスライドファスナー１０４の開離嵌挿操作の操作性を向上させることができるとともに、第２開離嵌挿部材１９０の挿し込みが不十分になる可能性を小さくすることができる。【０１８８】
更に、本実施例５の逆開きスライドファスナー１０４では、左右のエレメント列１１，２１を噛合させたときに、図２３に示すように、第１開離嵌挿部材１８０の係止溝部１８４内に、第２開離嵌挿部材１９０の隆起部４４、嵌入片部１９３、及び薄肉部１９６を嵌入させることができる。【０１８９】
これにより、第１開離嵌挿部材１８０の係止溝部１８４を構成する上壁部及び下壁部と、第２開離嵌挿部材１９０の嵌入片部１９３、隆起部４４、及び薄肉部１９６とが互いに重なり合った状態となる。このため、同逆開きスライドファスナー１０４では、例えば左右のエレメント列１１，２１が噛合している状態で第１及び第２開離嵌挿部材１８０，１９０が上下方向の応力を受けても、第１開離嵌挿部材１８０と第２開離嵌挿部材１９０の相対的な位置が上下方向にずれることをより確実に防ぐことができる。【０１９０】
なお、本発明の実施例１〜実施例５においては、第１スライダー５０，８０，９０の側縁における上翼板５２，８２と下翼板５３，８３との間隔、及び第２スライダー６０，８０，９０，１６０の側縁における上翼板６２，８２と下翼板６３，８３との間隔を、上下フランジ５５，５６，６５，６６，８５，８６，９５，９６，１６５，１６６間の間隔として説明した。【０１９１】
しかし、本発明に係る逆開きスライドファスナーでは、第１スライダー及び第２スライダーとして、例えば図２４に示したように、上翼板の側縁部と下翼板の側縁部の間隙が上翼板１０５ａに配された上フランジ１０５ｃと下翼板１０５ｂとの間の間隙からなるスライダー１０５や、図２５に示したように、上翼板の側縁部と下翼板の側縁部の間隙が上翼板１０６ａと下翼板１０６ｂに配された下フランジ１０６ｃとの間の間隙からなるスライダー１０６を使用することも可能である。【０１９２】
この場合、上記実施例１〜実施例５で説明した上下フランジ５５，５６，６５，６６，８５，８６，９５，９６，１６５，１６６間の間隙は、上フランジ１０５ｃと下翼板１０５ｂ間の間隙、或いは、上翼板１０６ａと下フランジ１０６ｃ間の間隙と置き換えることができる。【０１９３】
ここで、図２４や図２５に示されるスライダー１０５，１０６は、例えばファスナーテープの一方の面にコイルエレメントを固着したコイルスライドファスナーなどで多く使用される。図２４に示したスライダー１０５は、ファスナーテープのコイルエレメントが固着された面と同じ方向に配された上翼板１０５ａに引手取付柱１０５ｄが取り付けられたスライダー（即ち、表使い用のスライダー）である。一方、図２５に示したスライダー１０６は、ファスナーテープのコイルエレメントが固着された面と反対方向に配された上翼板１０６ａに引手取付柱１０６ｄが取り付けられたスライダー（即ち、裏使い用のスライダー）である。
【符号の説明】
【０１９４】
１                逆開きスライドファスナー
１０                第１ファスナーストリンガー
１１                エレメント列
１２                ファスナーテープ
１３                止具
１４                芯紐部
１５                ファスナーエレメント
１６                補強部
２０                第２ファスナーストリンガー
２１                エレメント列
２２                ファスナーテープ
２３                止具
２４                芯紐部
２５                ファスナーエレメント
２６                補強部
３０                第１開離嵌挿部材
３１                本体部
３２                スライダー止部
３３                係止凹部
３３ａ              壁面部
３４                収容凹部
３４ａ              壁面部
３５                補助係止部
４０                第２開離嵌挿部材
４１                本体部
４２                スライダー係脱部
４２ａ              第１係脱部
４２ｂ              第２係脱部
４２ｃ              挿入溝
４３                係止凸部
４４                隆起部
４４ａ              抜止用隆起部
４４ｂ              位置保持用隆起部
４５                ガイド部
４６                挿入凹部
４７                リブ部
５０                第１スライダー
５１                スライダー胴体
５１ａ              引手
５２                上翼板
５３                下翼板
５４                連結柱
５５                上フランジ
５６                下フランジ
５７                引手取付柱
５８                停止爪
５９                エレメント案内路
６０                第２スライダー
６１                スライダー胴体
６１ａ              引手
６２                上翼板
６３                下翼板
６４                連結柱
６５                上フランジ
６６                下フランジ
６７                引手取付柱
６８                停止爪
６９                エレメント案内路
７１                第１スライダーの上下フランジ間の間隔
７２                第２スライダーの上下フランジ間の間隔
７３                第２開離嵌挿部材における本体部の厚さ寸法
７４                第２開離嵌挿部材における第１係脱部の厚さ寸法
７５                第２開離嵌挿部材における隆起部の厚さ寸法
７６                スライダーの左側の上下フランジ間の間隔
７７                スライダーの右側の上下フランジ間の間隔
７８                スライダーの左側の上下フランジ間の間隔
７９                スライダーの右側の上下フランジ間の間隔
８０                スライダー
８１                スライダー胴体
８２                上翼板
８３                下翼板
８４                連結柱
８５                上フランジ
８６                下フランジ
８７                引手取付柱
８９                エレメント案内路
９０                スライダー
９１                スライダー胴体
９５                上フランジ
９６                下フランジ
１０１                逆開きスライドファスナー
１０２                逆開きスライドファスナー
１０３                逆開きスライドファスナー
１０４                逆開きスライドファスナー
１０５                スライダー
１０５ａ              上翼板
１０５ｂ              下翼板
１０５ｃ              上フランジ
１０５ｄ              引手取付柱
１０６                スライダー
１０６ａ              上翼板
１０６ｂ              下翼板
１０６ｃ              下フランジ
１０６ｄ              引手取付柱
１１０                第２開離嵌挿部材
１１２                スライダー係脱部
１１７                リブ部
１３０                第１開離嵌挿部材
１３２                スライダー止部
１４０                第２開離嵌挿部材
１４２                スライダー係脱部
１４７                リブ部
１５０                第２開離嵌挿部材
１５４                隆起部
１５４ａ              抜止用隆起部
１６０                第２スライダー
１６５                上フランジ
１６６                下フランジ
１７２                第２スライダーの上下フランジ間の間隔
１７５                第２開離嵌挿部材における隆起部の厚さ寸法
１８０                第１開離嵌挿部材
１８４                係止溝部
１８４ａ              第１係止溝部
１８４ｂ              第２係止溝部
１９０                第２開離嵌挿部材
１９３                嵌入片部
１９５                ガイド部
１９６                薄肉部
【図１】
0005606452.tif 000002
【図２】
0005606452.tif 000003
【図３】
0005606452.tif 000004
【図４】
0005606452.tif 000005
【図５】
0005606452.tif 000006
【図６】
0005606452.tif 000007
【図７】
0005606452.tif 000008
【図８】
0005606452.tif 000009
【図９】
0005606452.tif 000010
【図１０】
0005606452.tif 000011
【図１１】
0005606452.tif 000012
【図１２】
0005606452.tif 000013
【図１３】
0005606452.tif 000014
【図１４】
0005606452.tif 000015
【図１５】
0005606452.tif 000016
【図１６】
0005606452.tif 000017
【図１７】
0005606452.tif 000018
【図１８】
0005606452.tif 000019
【図１９】
0005606452.tif 000020
【図２０】
0005606452.tif 000021
【図２１】
0005606452.tif 000022
【図２２】
0005606452.tif 000023
【図２３】
0005606452.tif 000024
【図２４】
0005606452.tif 000025
【図２５】
0005606452.tif 000026
【図２６】
0005606452.tif 000027
【図２７】
0005606452.tif 000028
【図２８】
0005606452.tif 000029
【図２９】
0005606452.tif 000030